(57)【要約】【課題】  通信回線が切り替わってもパケットロスの測定を継続できる伝送システム、伝送装置、及び伝送方法を提供する。【解決手段】  伝送システムは、第１伝送装置と第２伝送装置の間に設けられた第１通信回線及び第２通信回線を論理的に制御してパケットを伝送するための論理パスを形成し、第１伝送装置が運用系の第１通信回線により第２伝送装置に送信したパケット数を、第１伝送装置から第２伝送装置に定期的に通知するとともに、予備系の第２通信回線に関連付けて保持し、第２伝送装置が第１伝送装置から第１通信回線により受信したパケット数を、第２伝送装置から第１伝送装置に定期的に通知するとともに、第２通信回線に関連付けて保持し、運用系が第１通信回線から第２通信回線に切り替えられたとき、保持された送信パケット数と受信パケット数を初期値として計数を開始する。【選択図】図８
2016208240.tif 000002
【特許請求の範囲】
【請求項１】
第１伝送装置と第２伝送装置の間に設けられた第１通信回線及び第２通信回線を論理的に制御してパケットを伝送するための論理パスを形成する伝送システムにおいて、
前記第１伝送装置が運用系の前記第１通信回線により前記第２伝送装置に送信したパケット数を、前記第１伝送装置から前記第２伝送装置に定期的に通知するとともに、予備系の前記第２通信回線に関連付けて保持する第１の手段と、
前記第２伝送装置が前記第１伝送装置から前記第１通信回線により受信したパケット数を、前記第２伝送装置から前記第１伝送装置に定期的に通知するとともに、前記第２通信回線に関連付けて保持する第２の手段とを有し、
運用系が前記第１通信回線から前記第２通信回線に切り替えられたとき、
前記第１の手段は、前記第２通信回線に関連付けて保持された前記送信したパケット数を初期値として、前記第１伝送装置が前記第２通信回線により前記第２伝送装置に送信したパケット数の計数を開始し、
前記第２の手段は、前記第２通信回線に関連付けて保持された前記受信したパケット数を初期値として、前記第２伝送装置が前記第１伝送装置から前記第２通信回線により受信したパケット数の計数を開始することを特徴とする伝送システム。
【請求項２】
前記第１の手段は、前記第１通信回線について前記送信したパケット数を計数して前記第２伝送装置に定期的に通知する第１回線処理部と、前記第２通信回線について前記送信したパケット数を計数して前記第２伝送装置に定期的に通知する第２回線処理部とを有し、
前記第２の手段は、前記第１通信回線について前記受信したパケット数を計数して前記第１伝送装置に定期的に通知する第３回線処理部と、前記第２通信回線について前記受信したパケット数を計数して前記第１伝送装置に定期的に通知する第４回線処理部とを有し、
運用系が前記第１通信回線から前記第２通信回線に切り替えられる前、
前記第２回線処理部は、前記第１回線処理部により計数された前記送信したパケット数に合わせて、前記第２回線処理部が計数する前記送信したパケット数を更新することにより、前記送信したパケット数を前記第２通信回線に関連付けて保持し、
前記第４回線処理部は、前記第３回線処理部により計数された前記受信したパケット数に合わせて、前記第４回線処理部が計数する前記受信したパケット数を更新することにより、前記受信したパケット数を前記第２通信回線に関連付けて保持することを特徴とする請求項１に記載の伝送システム。
【請求項３】
他装置との間に設けられた第１通信回線及び第２通信回線の論理的な制御によりパケットを伝送するための論理パスが形成される伝送装置において、
運用系の前記第１通信回線により前記他装置に送信したパケット数を、前記他装置に定期的に通知するとともに、予備系の前記第２通信回線に関連付けて保持する第１の手段を有し、
前記第１の手段は、運用系が前記第１通信回線から前記第２通信回線に切り替えられたとき、前記第２通信回線に関連付けて保持された前記送信したパケット数を初期値として、前記第２通信回線により前記他装置に送信したパケット数の計数を開始することを特徴とする伝送装置。
【請求項４】
他装置との間に設けられた第１通信回線及び第２通信回線の論理的な制御によりパケットを伝送するための論理パスが形成される伝送装置において、
前記他装置から運用系の前記第１通信回線により受信したパケット数を、前記他装置に定期的に通知するとともに、予備系の前記第２通信回線に関連付けて保持する第２の手段を有し、
前記第２の手段は、運用系が前記第１通信回線から前記第２通信回線に切り替えられたとき、前記第２通信回線に関連付けて保持された前記受信したパケット数を初期値として、前記他装置から前記第２通信回線により受信したパケット数の計数を開始することを特徴とする伝送装置。
【請求項５】
第１伝送装置と第２伝送装置の間に設けられた第１通信回線及び第２通信回線を論理的に制御してパケットを伝送するための論理パスを形成する伝送方法において、
前記第１伝送装置が運用系の前記第１通信回線により前記第２伝送装置に送信したパケット数を、前記第１伝送装置から前記第２伝送装置に定期的に通知するとともに、予備系の前記第２通信回線に関連付けて保持し、
前記第２伝送装置が前記第１伝送装置から前記第１通信回線により受信したパケット数を、前記第２伝送装置から前記第１伝送装置に定期的に通知するとともに、前記第２通信回線に関連付けて保持し、
運用系が前記第１通信回線から前記第２通信回線に切り替えられたとき、
前記第２通信回線に関連付けて保持された前記送信したパケット数を初期値として、前記第１伝送装置が前記第２通信回線により前記第２伝送装置に送信したパケット数の計数を開始し、
前記第２通信回線に関連付けて保持された前記受信したパケット数を初期値として、前記第２伝送装置が前記第１伝送装置から前記第２通信回線により受信したパケット数の計数を開始することを特徴とする伝送方法。
【発明の詳細な説明】
【技術分野】
【０００１】
本件は、伝送システム、伝送装置、及び伝送方法に関する。
【背景技術】
【０００２】
パケットを送受信する伝送装置のＯＡＭ（Operation Administration and Maintenance）機能として、パケットの損失数であるパケットロスの測定が知られている。例えば、ＩＴＵ−Ｔ（International telecommunication Standardization Sector）勧告Ｙ．１７３１には、イーサネット（登録商標、以下同様）のＯＡＭ機能が規定されている。
【０００３】
伝送装置は、例えば、自装置で計数したパケットの送信数及び受信数をＯＡＭパケットに含めることにより、パケットの送信先の他の伝送装置に通知する。各伝送装置は、通知された送信数及び受信数を用いてパケットロスを測定する。なお、伝送装置間の通信回線は、障害の発生などに備えて冗長化されることがある（例えば特許文献１及び２参照）。
【先行技術文献】
【特許文献】
【０００４】
【特許文献１】特開２００１−１２７７６５号公報
【特許文献２】特開２００８−１３１６１５号公報
【発明の概要】
【発明が解決しようとする課題】
【０００５】
冗長化された通信回線によりパケットを送受信する場合、例えば障害発生のために通信回線が切り替えられると、伝送装置は、切り替え後の通信回線について、改めて送信数及び受信数を計数し始めることになる。このため、伝送装置は、切り替え前の通信回線について計数した送信数及び受信数に基づいて、パケットロスの測定を継続することができないので、測定結果に誤差が生ずる。
【０００６】
そこで本件は上記の課題に鑑みてなされたものであり、通信回線が切り替わってもパケットロスの測定を継続できる伝送システム、伝送装置、及び伝送方法を提供することを目的とする。
【課題を解決するための手段】
【０００７】
本明細書に記載の伝送システムは、第１伝送装置と第２伝送装置の間に設けられた第１通信回線及び第２通信回線を論理的に制御してパケットを伝送するための論理パスを形成する伝送システムにおいて、前記第１伝送装置が運用系の前記第１通信回線により前記第２伝送装置に送信したパケット数を、前記第１伝送装置から前記第２伝送装置に定期的に通知するとともに、予備系の前記第２通信回線に関連付けて保持する第１の手段と、前記第２伝送装置が前記第１伝送装置から前記第１通信回線により受信したパケット数を、前記第２伝送装置から前記第１伝送装置に定期的に通知するとともに、前記第２通信回線に関連付けて保持する第２の手段とを有し、運用系が前記第１通信回線から前記第２通信回線に切り替えられたとき、前記第１の手段は、前記第２通信回線に関連付けて保持された前記送信したパケット数を初期値として、前記第１伝送装置が前記第２通信回線により前記第２伝送装置に送信したパケット数の計数を開始し、前記第２の手段は、前記第２通信回線に関連付けて保持された前記受信したパケット数を初期値として、前記第２伝送装置が前記第１伝送装置から前記第２通信回線により受信したパケット数の計数を開始する。
【０００８】
本明細書に記載の伝送装置は、他装置との間に設けられた第１通信回線及び第２通信回線の論理的な制御によりパケットを伝送するための論理パスが形成される伝送装置において、運用系の前記第１通信回線により前記他装置に送信したパケット数を、前記他装置に定期的に通知するとともに、予備系の前記第２通信回線に関連付けて保持する第１の手段を有し、前記第１の手段は、運用系が前記第１通信回線から前記第２通信回線に切り替えられたとき、前記第２通信回線に関連付けて保持された前記送信したパケット数を初期値として、前記第２通信回線により前記他装置に送信したパケット数の計数を開始する。
【０００９】
本明細書に記載の伝送装置は、他装置との間に設けられた第１通信回線及び第２通信回線の論理的な制御によりパケットを伝送するための論理パスが形成される伝送装置において、前記他装置から運用系の前記第１通信回線により受信したパケット数を、前記他装置に定期的に通知するとともに、予備系の前記第２通信回線に関連付けて保持する第２の手段を有し、前記第２の手段は、運用系が前記第１通信回線から前記第２通信回線に切り替えられたとき、前記第２通信回線に関連付けて保持された前記受信したパケット数を初期値として、前記他装置から前記第２通信回線により受信したパケット数の計数を開始する。
【００１０】
本明細書に記載の伝送方法は、第１伝送装置と第２伝送装置の間に設けられた第１通信回線及び第２通信回線を論理的に制御してパケットを伝送するための論理パスを形成する伝送方法において、前記第１伝送装置が運用系の前記第１通信回線により前記第２伝送装置に送信したパケット数を、前記第１伝送装置から前記第２伝送装置に定期的に通知するとともに、予備系の前記第２通信回線に関連付けて保持し、前記第２伝送装置が前記第１伝送装置から前記第１通信回線により受信したパケット数を、前記第２伝送装置から前記第１伝送装置に定期的に通知するとともに、前記第２通信回線に関連付けて保持し、運用系が前記第１通信回線から前記第２通信回線に切り替えられたとき、前記第２通信回線に関連付けて保持された前記送信したパケット数を初期値として、前記第１伝送装置が前記第２通信回線により前記第２伝送装置に送信したパケット数の計数を開始し、前記第２通信回線に関連付けて保持された前記受信したパケット数を初期値として、前記第２伝送装置が前記第１伝送装置から前記第２通信回線により受信したパケット数の計数を開始する方法である。
【発明の効果】
【００１１】
通信回線が切り替わってもパケットロスの測定を継続できる。
【図面の簡単な説明】
【００１２】
【図１】伝送システムの一例を示す構成図である。
【図２】伝送装置の一例を示す構成図である。
【図３（ａ）】運用系の回線ユニットのカウンタテーブルの一例を示す図である。
【図３（ｂ）】予備系の回線ユニットのカウンタテーブルの一例を示す図である。
【図３（ｃ）】パケットロステーブルの一例を示す図である。
【図３（ｄ）】ＬＡＧ設定テーブルの一例を示す図である。
【図４】回線ユニット間で送受信されるパケットの一例を示す構成図である。
【図５】比較例における通常時のパケットロスの測定動作を示すシーケンス図である。
【図６】比較例におけるパケットロス発生時のパケットロスの測定動作を示すシーケンス図である。
【図７】比較例における障害発生時のパケットロスの測定動作を示すシーケンス図である。
【図８】実施例における通常時のパケットロスの測定動作を示すシーケンス図である。
【図９】一方の伝送装置におけるＯＡＭパケットの経路を示す図である。
【図１０】他方の伝送装置におけるＯＡＭパケットの経路を示す図である。
【図１１（ａ）】運用系の回線ユニットのカウンタテーブルの変化を示す図である。
【図１１（ｂ）】予備系の回線ユニットのカウンタテーブルの変化を示す図である。
【図１２】実施例における障害発生時のパケットロスの測定動作を示すシーケンス図（その１）である。
【図１３】実施例における障害発生時のパケットロスの測定動作を示すシーケンス図（その２）である。
【発明を実施するための形態】
【００１３】
図１は、伝送システムの一例を示す構成図である。伝送システムは、伝送装置１，２と、パケット転送装置７１，７２と、ルータ装置８１，８２とを有する。
【００１４】
ルータ装置８１，８２は、パケット転送装置７１，７２とＬＡＮ（Local Area Network）９１，９２の間にそれぞれ設けられている。ルータ装置８１，８２は、パケットの伝送経路を示すルーティングテーブルに従って、パケット転送装置７１，７２またはＬＡＮ９１，９２から受信したパケットをそれぞれ転送する。
【００１５】
パケット転送装置７１，７２は、伝送装置１，２とルータ装置８１，８２の間にそれぞれ設けられている。パケット転送装置７１，７２は、例えばレイヤ２スイッチであり、パケットの宛先に従って、伝送装置１，２またはルータ装置８１，８２から受信したパケットをそれぞれ転送する。
【００１６】
伝送装置１，２は、基幹ネットワーク９０内に設けられ、光ファイバなどの伝送路を介して互いに接続されている。伝送装置１，２は、例えばＰ−ＯＮＰ（Packet Optical Networking Platform）装置であり、パケット転送装置７１，７２から受信したパケットを他方の伝送装置２，１にそれぞれ送信し、他方の伝送装置２，１から受信したパケットをパケット転送装置７１，７２にそれぞれ送信する。
【００１７】
すなわち、伝送装置１，２は、互いにパケット送受信する。これにより、異なるＬＡＮ９１，９２内の通信端末（例えばスマートフォンなど）が、伝送装置１，２を介して通信することができる。なお、本実施例において、パケットとしては、イーサネットフレームを挙げるが、これに限定されることはなく、ＩＰ（Internet Protocol）パケットやＡＴＭ（Asynchronous Transfer Mode）セルなどであってもよい。また、伝送装置１，２には、Ｐ−ＯＮＰ装置だけでなく、サーバなどのコンピュータ装置も含まれる。
【００１８】
本実施例では、ＩＴＵ−Ｔ勧告Ｙ．１７３１に規定されたＭＥＰ（Maintenance End Point）を伝送装置１，２にそれぞれ設定し（「ＭＥＰ＃１」及び「ＭＥＰ＃２」参照）、ＭＥＰ＃１及びＭＥＰ＃２の間をＯＡＭ機能の監視区間とする。したがって、基幹ネットワーク９０を管理するネットワーク管理装置９は、伝送装置１，２間で送受信されるパケットの損失数、つまりパケットロスの測定結果を伝送装置１，２から収集する。以下に伝送装置１，２の構成について説明する。
【００１９】
図２は、伝送装置１，２の一例を示す構成図である。伝送装置１，２は、運用系の通信回線（第１通信回線）６１、または予備系の通信回線（第２通信回線）６２により互いにパケットを送受信する。通信回線６１及び通信回線６２は、リンクアグリゲーション（Link Aggregation）により冗長化された通信回線として構成されている。すなわち、通信回線６１及び通信回線６２は、共通のＬＡＧ（Link Aggregation Group）に属する。
【００２０】
伝送装置１，２は、通常、運用系の通信回線６１により互いにパケットを送受信する。伝送装置１，２は、運用系の通信回線６１に例えば障害が発生した場合、使用する通信回線を運用系から予備系に切り替えることにより、予備系の通信回線６２により互いにパケットを送受信する。このように、伝送システムは、伝送装置１，２の間に設けられた通信回線６１，６２を論理的に制御してパケットを伝送するための論理パスを形成する。
【００２１】
また、各伝送装置１，２は、他の伝送装置２，１との間に設けられた通信回線６１，６２の論理的な制御によりパケットを伝送するための論理パスが形成される。なお、伝送装置１から伝送装置２に向かう伝送方向について見れば、伝送装置１は、運用系の通信回線６１また予備系の通信回線６２によりパケットを送信する第１伝送装置であり、伝送装置２は、運用系の通信回線６１また予備系の通信回線６２によりパケットを受信する第２伝送装置である。
【００２２】
伝送装置１は、制御ユニット１０と、複数の回線ユニット１１〜１３と、スイッチユニット（ＳＷ）１４とを有する。伝送装置２は、伝送装置１と同様に、制御ユニット２０と、複数の回線ユニット２１〜２３と、スイッチユニット（ＳＷ）２４とを有する。伝送装置１の各ユニット１０〜１４は、第１の手段の一例であり、伝送装置２の各ユニット２０〜２４は、第２の手段の一例である。なお、図２には、回線ユニット１１〜１３，２１〜２３のうち、回線ユニット１１，１３の構成のみが記載されているが、他の回線ユニット１３，２１〜２３も同様の構成を有する。また、図２には、制御ユニット１０，２０のうち、一方の制御ユニット１０の構成のみが記載されているが、他方の制御ユニット２０も同様の構成を有する。
【００２３】
伝送装置１の回線ユニット１１と伝送装置２の回線ユニット２１は、通信回線６１により互いにパケットを送受信し、伝送装置１の回線ユニット１２と伝送装置２の回線ユニット２２は、通信回線６２により互いにパケットを送受信する。つまり、回線ユニット１１，２１は、通信回線６１による通信を処理し、回線ユニット１２，２２は、通信回線６２による通信を処理する。
【００２４】
伝送装置１において、スイッチユニット１４は、複数の回線ユニット１１〜１３の間でパケットを交換する。このため、複数の回線ユニット１１〜１３は、スイッチユニット１４を介して互いにパケットを送受信する。例えば、回線ユニット１３は、図１のパケット転送装置７１から受信したパケットを、スイッチユニット１４を介して回線ユニット１１に送信し、回線ユニット１１から受信したパケットを、スイッチユニット１４を介してパケット転送装置７１に送信する。
【００２５】
一方、伝送装置２においても、複数の回線ユニット２１〜２３は、スイッチユニット２４を介して互いにパケットを送受信する。例えば、回線ユニット２３は、図１のパケット転送装置７２から受信したパケットを、スイッチユニット２４を介して回線ユニット２１に送信し、回線ユニット２１から受信したパケットを、スイッチユニット２４を介してパケット転送装置７２に送信する。
【００２６】
回線ユニット１１〜１３，２１〜２３は、それぞれ、ＣＰＵ（Central Processing Unit）３０、メモリ３１と、通信処理部３２と、複数のポート３３と、トラフィック管理部３４と、フロー処理部３５と、スイッチインターフェース（ＳＷ−ＩＦ）部３６とを有する。複数のポート３３は、イーサネットのＰＨＹ（Physical）レイヤ及びＭＡＣ（Media Access Control）レイヤの処理機能を備え、他装置との間でパケットを送受信する。
【００２７】
回線ユニット１１のポート３３の１つと回線ユニット２１のポート３３の１つは、互いに接続されることで通信回線６１を構成する。また、回線ユニット１２のポート３３の１つと回線ユニット２２のポート３３の１つは、互いに接続されることで通信回線６２を構成する。ポート３３は、他方の伝送装置１，２から受信したパケットをトラフィック管理部３４に出力し、また、トラフィック管理部３４から入力されたパケットを他方の伝送装置１，２に送信する。
【００２８】
トラフィック管理部３４は、例えばシェーパなどの機能を有し、パケットの帯域を管理する。トラフィック管理部３４は、ポート３３から入力されたパケットをフロー処理部３５に出力し、フロー処理部３５から入力されたパケットをポート３３に出力する。
【００２９】
フロー処理部３５は、パケットの種類に応じてパケットの振り分け処理を行う。パケットには、ユーザーのデータを含むユーザパケットと、ＭＥＰ＃１とＭＥＰ＃２の間のＯＡＭに関するデータを含むＯＡＭパケットとが含まれる。フロー処理部３５は、トラフィック管理部３４から入力されたユーザパケットをＳＷ−ＩＦ部３６に出力し、ＳＷ−ＩＦ部３６から入力されたユーザパケットをトラフィック管理部３４に出力する。
【００３０】
また、フロー処理部３５は、トラフィック管理部３４から入力されたＯＡＭパケットをＣＰＵ３０及びＳＷ−ＩＦ部３６に出力し、ＳＷ−ＩＦ部３６から入力されたＯＡＭパケットをＣＰＵ３０に出力する。さらに、フロー処理部３５は、ＣＰＵ３０から入力されたＯＡＭパケットをトラフィック管理部３４及びＳＷ−ＩＦ部３６に出力する。
【００３１】
ＳＷ−ＩＦ部３６は、スイッチユニット１４，２４との間でパケットを送受信する。ＳＷ−ＩＦ部３６は、スイッチユニット１４，２４から入力されたパケットをフロー処理部３５に出力し、フロー処理部３５から入力されたパケットをスイッチユニット１４，２４に出力する。スイッチユニット１４，２４は、ＳＷ−ＩＦ部３６から入力されたユーザパケットを、制御ユニット１０，２０からの設定に従って、そのパケットの宛先に応じた回線ユニット１１〜１３，２１〜２３に転送する。
【００３２】
伝送装置１のスイッチユニット１４は、例えば、ＬＡＮ９１内の通信端末を宛先とするユーザパケットが回線ユニット１１から入力された場合、そのユーザパケットを回線ユニット１３に転送する。一方、伝送装置２のスイッチユニット２４は、例えば、ＬＡＮ９２内の通信端末を宛先とするユーザパケットが回線ユニット２１から入力された場合、そのユーザパケットを回線ユニット２３に転送する。
【００３３】
また、スイッチユニット１４，２４は、ＳＷ−ＩＦ部３６から入力されたＯＡＭパケットを、制御ユニット１０，２０からの設定に従って、ＯＡＭパケットの入力元の運用系の回線ユニット１１，２１に対応する予備系の回線ユニット１２，２２に転送する。伝送装置１のスイッチユニット１４は、運用系の回線ユニット１１から入力されたＯＡＭパケットを予備系の回線ユニット１２に転送する。一方、伝送装置１のスイッチユニット２４は、運用系の回線ユニット２１から入力されたＯＡＭパケットを予備系の回線ユニット２２に転送する。
【００３４】
ＣＰＵ３０は、ソフトウェアにより駆動され、回線ユニット１１〜１３，２１〜２３の全体的な動作を制御する。メモリ３１は、バスなどの配線を介してＣＰＵ３０と接続されている。通信処理部３２は、ＣＰＵ３０と制御ユニット１０，２０の通信を処理する。なお、ＣＰＵ３０に代えて、ＦＰＧＡ（Field Programmable Gate Array）などのハードウェアが設けられてもよい。
【００３５】
メモリ３１には、カウンタテーブル３１ａ及びユニット状態情報３１ｂが保持されている。なお、メモリ３１に代えて、ＨＤＤ（Hard Disk Drive）などの他の情報保持手段が用いられてもよい。カウンタテーブル３１ａには、パケットロスの測定に用いられるパケットの送信数及び受信数が記録されており、ユニット状態情報３１ｂは、回線ユニット１１〜１３，２１〜２３が運用系と予備系の何れであるのかを示す。
【００３６】
図２の例では、運用系の回線ユニット１１，２１のユニット状態情報３１ｂは、「運用系」であることを示し、予備系の回線ユニット１２，２２のユニット状態情報３１ｂは、「予備系」であることを示す。ＣＰＵ３０は、ユニット状態情報３１ｂが「運用系」であることを示す場合、フロー処理部３５などの回線ユニット１１〜１３，２１〜２３の各部に対して、他方の伝送装置１，２との間のパケットの送受信処理を許可する。一方、ユニット状態情報３１ｂが「予備系」であることを示す場合、ＣＰＵ３０は、その送受信処理を不許可とする。
【００３７】
ユニット状態情報３１ｂは、制御ユニット１０，２０により設定される。ＣＰＵ３０は、制御ユニット１０，２０から通信処理部３２を介してユニット状態情報３１ｂを受信してメモリ３１に書き込む。
【００３８】
また、ＣＰＵ３０は、ＯＡＭパケットの送信及び受信のたびにカウンタテーブル３１ａを更新して、カウンタテーブル３１ａ内の各数値を制御ユニット１０，２０に送信する。制御ユニット１０，２０は、ＣＰＵ３０から受信した各数値を保持し、パケットロスの測定に用いる。
【００３９】
ＣＰＵ３０は、パケットロスの測定のため、ＯＡＭパケットの生成処理、送信処理、及び受信処理を行う。運用系の回線ユニット１１，２１において、ＣＰＵ３０は、ＯＡＭパケットの送信数及び受信数を計数し、その送信数及び受信数の少なくとも一方を含むＯＡＭパケットを生成して他方の伝送装置２，１に送信する。また、ＣＰＵ３０は、計数した送信数及び受信数を、メモリ３１に保持されたカウンタテーブル３１ａに記録する。そして、ＣＰＵ３０は、他方の伝送装置２，１から受信したＯＡＭパケットから、その伝送装置２，１が計数した送信数及び受信数の少なくとも一方を取得して、カウンタテーブル３１ａに記録する。
【００４０】
図３（ａ）には、運用系の回線ユニット１１のカウンタテーブル３１ａの一例が示されている。カウンタテーブル３１ａには、ＴｘＦＣｌ、ＲｘＦＣｌ、ＴｘＦＣｌ’、及びＲｘＦＣｌ’の各数値が記録されている。
【００４１】
ＴｘＦＣｌは、回線ユニット１１が他方の伝送装置２の回線ユニット２１に送信したＯＡＭパケットの数であり、ＲｘＦＣｌは、回線ユニット１１が他方の伝送装置２の回線ユニット２１から受信したＯＡＭパケットの数である。つまり、ＴｘＦＣｌは回線ユニット１１のＯＡＭパケットの送信数を示し、ＲｘＦＣｌは回線ユニット１１のＯＡＭパケットの受信数を示す。
【００４２】
回線ユニット１１のＣＰＵ３０は、他方の伝送装置２の回線ユニット２１にＯＡＭパケットを送信するたびにＴｘＦＣｌを更新し、その回線ユニット２１からＯＡＭパケットを受信するたびにＲｘＦＣｌを更新する。これにより、ＯＡＭパケットの送信数及び受信数が計数される。
【００４３】
また、ＴｘＦＣｌ’は、他方の伝送装置２の回線ユニット２１が回線ユニット１１に送信したＯＡＭパケットの数であり、ＲｘＦＣｌ’は、その回線ユニット２１が回線ユニット１１から受信したＯＡＭパケットの数である。つまり、ＴｘＦＣｌは回線ユニット２１のＯＡＭパケットの送信数を示し、ＲｘＦＣｌは回線ユニット２１のＯＡＭパケットの受信数を示す。
【００４４】
ＴｘＦＣｌ’及びＲｘＦＣｌ’は、他方の伝送装置２の回線ユニット２１から受信したＯＡＭパケットに含まれている。ＣＰＵ３０は、回線ユニット２１からＯＡＭパケットを受信するたびにカウンタテーブル３１ａ内のＴｘＦＣｌ’及びＲｘＦＣｌ’を更新する。
【００４５】
後述するように、伝送装置２から伝送装置１に送信されるＯＡＭパケットには、ＴｘＦＣｌ’及びＲｘＦＣｌ’の両方が含まれるのに対し、伝送装置１から伝送装置２に送信されるＯＡＭパケットには、ＴｘＦＣｌは含まれるが、ＲｘＦＣｌは含まれない。このため、他方の伝送装置２の運用系の回線ユニット２１のカウンタテーブル３１ａには、ＲｘＦＣｌが含まれていない。
【００４６】
回線ユニット２１のＣＰＵ３０は、他方の伝送装置１の回線ユニット１１にＯＡＭパケットを送信するたびにＴｘＦＣｌ’を更新し、その回線ユニット１１からＯＡＭパケットを受信するたびにＲｘＦＣｌ’を更新する。これにより、回線ユニット２１においても、回線ユニット１１と同様にＯＡＭパケットの送信数及び受信数が計数される。
【００４７】
また、回線ユニット２１のＣＰＵ３０は、回線ユニット１１からＯＡＭパケットを受信するたびにカウンタテーブル３１ａ内のＴｘＦＣｌを更新する。なお、ＯＡＭパケットの送受信は、定期的に行われる。
【００４８】
このように、伝送装置１の運用系の回線ユニット１１は、第１回線処理部の一例として、通信回線６１についてＯＡＭパケットの送信数を計数して他方の伝送装置２に定期的に通知する。一方、伝送装置２の運用系の回線ユニット２１は、第３回線処理部の一例として、通信回線６１についてＯＡＭパケットの受信数を計数して他方の伝送装置１に定期的に通知する。
【００４９】
また、図３（ｂ）には、予備系の回線ユニット１２のカウンタテーブル３１ａの一例が示されている。予備系の回線ユニット１２のカウンタテーブル３１ａには、運用系の回線ユニット１１のカウンタテーブル３１ａと同様に、ＴｘＦＣｌ、ＲｘＦＣｌ、ＴｘＦＣｌ’、及びＲｘＦＣｌ’の各数値が記録されている。また、他方の伝送装置２の予備系の回線ユニット２２のカウンタテーブル３１ａには、上述した理由により、ＲｘＦＣｌが含まれていない。
【００５０】
予備系の回線ユニット１２，２２は、運用系が通信回線６１から通信回線６２に切り替えられた場合、運用系の回線ユニット１１，２１と同様にカウンタテーブル３１ａを更新する。
【００５１】
伝送装置１の回線ユニット１２のＣＰＵ３０は、他方の伝送装置２の回線ユニット２２にＯＡＭパケットを送信するたびにＴｘＦＣｌを更新し、その回線ユニット２２からＯＡＭパケットを受信するたびにＲｘＦＣｌを更新する。また、回線ユニット１２のＣＰＵ３０は、他方の伝送装置２の回線ユニット２２からＯＡＭパケットを受信するたびにカウンタテーブル３１ａ内のＴｘＦＣｌ’及びＲｘＦＣｌ’を更新する。
【００５２】
また、他方の伝送装置２において、回線ユニット２２のＣＰＵ３０は、伝送装置１の回線ユニット１２にＯＡＭパケットを送信するたびにＴｘＦＣｌ’を更新し、その回線ユニット１２からＯＡＭパケットを受信するたびにＲｘＦＣｌ’を更新する。また、回線ユニット２２のＣＰＵ３０は、回線ユニット１２からＯＡＭパケットを受信するたびにカウンタテーブル３１ａ内のＴｘＦＣｌを更新する。
【００５３】
このように、伝送装置１の予備系の回線ユニット１２は、第２回線処理部の一例として、通信回線６２についてＯＡＭパケットの送信数を計数して他方の伝送装置２に定期的に通知する。一方、伝送装置２の予備系の回線ユニット２２は、第４回線処理部の一例として、通信回線６２についてＯＡＭパケットの受信数を計数して他方の伝送装置１に定期的に通知する。
【００５４】
予備系の回線ユニット１２，２２は、運用系が通信回線６１から通信回線６２に切り替えられる前、運用系の回線ユニット１１，２１のカウンタテーブル３１ａにそれぞれ合わせて、カウンタテーブル３１ａを更新する。
【００５５】
伝送装置１において、予備系の回線ユニット１２は、運用系の回線ユニット１１により計数されたＴｘＦＣｌ及びＲｘＦＣｌに合わせて、自装置のカウンタテーブル３１ａ内のＴｘＦＣｌ及びＲｘＦＣｌをそれぞれ更新する。また、予備系の回線ユニット１２は、運用系の回線ユニット１１が受信したＯＡＭパケットに含まれるＴｘＦＣｌ’及びＲｘＦＣｌ’ に合わせて、自装置のカウンタテーブル３１ａ内のＴｘＦＣｌ’及びＲｘＦＣｌ’をそれぞれ更新する。
【００５６】
これにより、運用系の回線ユニット１１と予備系の回線ユニット１２の間でカウンタテーブル３１ａ内のＴｘＦＣｌ、ＲｘＦＣｌ、ＴｘＦＣｌ’、及びＲｘＦＣｌ’が同期する。つまり、運用系の回線ユニット１１と予備系の回線ユニット１２の各カウンタテーブル３１ａの数値が、図３（ａ）及び図３（ｂ）に示されるように同一となる。
【００５７】
また、伝送装置２において、予備系の回線ユニット２２は、運用系の回線ユニット２１により計数されたＴｘＦＣｌ’及びＲｘＦＣｌ’に合わせて、自装置のカウンタテーブル３１ａ内のＴｘＦＣｌ’及びＲｘＦＣｌ’をそれぞれ更新する。また、予備系の回線ユニット２２は、運用系の回線ユニット２１が受信したＯＡＭパケットに含まれるＴｘＦＣｌに合わせて、自装置のカウンタテーブル３１ａ内のＴｘＦＣｌ’を更新する。
【００５８】
これにより、運用系の回線ユニット２１と予備系の回線ユニット２２の間でカウンタテーブル３１ａ内のＴｘＦＣｌ、ＴｘＦＣｌ’、及びＲｘＦＣｌ’が同期する。つまり、運用系の回線ユニット２１と予備系の回線ユニット２２の各カウンタテーブル３１ａの数値が同一となる。なお、この同期処理の詳細については後述する。
【００５９】
伝送装置１において、運用系の回線ユニット１１のカウンタテーブル３１ａ内の各数値は、制御ユニット１０に送信されてパケットロスの測定に用いられる。また、伝送装置２において、運用系の回線ユニット２１のカウンタテーブル３１ａ内の各数値は、制御ユニット２０に送信されてパケットロスの測定に用いられる。なお、運用系が通信回線６１から通信回線６２に切り替えられた場合、予備系の回線ユニット１２，２２のカウンタテーブル３１ａ内の各数値は、制御ユニット１０、２０にそれぞれ送信されてパケットロスの測定に用いられる。
【００６０】
制御ユニット１０，２０は、図２に示されるように、ＣＰＵ１００と、通信処理部１０１と、メモリ１０２とを有する。
【００６１】
ＣＰＵ１００は、ソフトウェアにより駆動され、制御ユニット１０，２０の全体的な動作を制御する。メモリ１０２は、バスなどの配線を介してＣＰＵ１００と接続されている。通信処理部１０１は、ＣＰＵ１００と回線ユニット１１〜１３，２１〜２３の通信を処理する。なお、ＣＰＵ１００に代えて、ＦＰＧＡなどのハードウェアが設けられてもよい。
【００６２】
メモリ１０２には、パケット（ＰＫＴ）ロステーブル１０２ａ及びＬＡＧ設定テーブル１０２ｂが保持されている。ＰＫＴロステーブル１０２ａには、運用系の回線ユニット１１，２１のカウンタテーブル３１ａから取得された各数値及びその数値から算出されたパケットロスの値が記録されている。
【００６３】
図３（ｃ）には、ＰＫＴロステーブル１０２ａの一例が示されている。本例では、伝送装置１のＰＫＴロステーブル１０２ａを挙げて説明する。
【００６４】
ＰＫＴロステーブル１０２ａには、現在の時刻ｔｃのＴｘＦＣｌ、ＲｘＦＣｌ、ＴｘＦＣｌ’、及びＲｘＦＣｌ’と、直前の時刻ｔｐのＴｘＦＣｌ、ＲｘＦＣｌ、ＴｘＦＣｌ’、及びＲｘＦＣｌ’と、遠端及び近端のパケットロスとが記録されている。なお、伝送装置２の場合、ＰＫＴロステーブル１０２ａには、現在の時刻ｔｃのＴｘＦＣｌ及びＲｘＦＣｌ’と、直前の時刻ｔｐのＴｘＦＣｌ及びＲｘＦＣｌ’と、近端のパケットロスとが記録されている。
【００６５】
現在の時刻ｔｃの各数値は、最新のもの、つまり今回取得されたものであり、直前の時刻ｔｐの各数値は、最新のものの直前、つまり前回取得されたものである。ＣＰＵ１００は、回線ユニット１１からカウンタテーブル３１ａ内の各数値を取得すると、直前の時刻ｔｐの各数値を現在の時刻ｔｃの各数値に更新して、現在の時刻ｔｃの各数値を、その取得した各数値に更新する。
【００６６】
つまり、ＣＰＵ１００は、新たなＴｘＦＣｌ、ＲｘＦＣｌ、ＴｘＦＣｌ’、及びＲｘＦＣｌ’を取得すると、直前の時刻ｔｐの各数値を現在の時刻ｔｃの各数値として記録し、取得した各数値を現在の時刻ｔｃの各数値として記録する。これにより、ＰＫＴロステーブル１０２ａには、今回取得されたＴｘＦＣｌ、ＲｘＦＣｌ、ＴｘＦＣｌ’、及びＲｘＦＣｌ’と、前回取得されたＴｘＦＣｌ、ＲｘＦＣｌ、ＴｘＦＣｌ’、及びＲｘＦＣｌ’が記録される。なお、使用される通信回線が運用系の通信回線６１から予備系の通信回線６２に切り替えられた場合、ＣＰＵ１００は、予備系の回線ユニット１２から各数値を取得する。
【００６７】
また、遠端のパケットロスは、伝送装置１から伝送装置２に向かう伝送方向におけるＯＡＭパケットの損失数である。ＣＰＵ１００は、現在の時刻ｔｃのＴｘＦＣｌ及びＲｘＦＣｌ’と、直前の時刻ｔｐのＴｘＦＣｌ及びＲｘＦＣｌ’とを用いて遠端のパケットロスを算出する。
【００６８】
ＬＳｆ＝｛ＴｘＦＣｌ（ｔｃ）−ＴｘＦＣｌ（ｔｐ）｝
−｛（ＲｘＦＣｌ’（ｔｃ）−ＲｘＦＣｌ’（ｔｐ））  ・・・（１）
【００６９】
遠端のパケットロスＬＳｆは、上記の式（１）により算出される。ここで、ＴｘＦＣｌ（ｔｃ）は現在の時刻ｔｃのＴｘＦＣｌであり、ＴｘＦＣｌ（ｔｐ）は直前の時刻ｔｐのＴｘＦＣｌである。また、ＲｘＦＣｌ’（ｔｃ）は現在の時刻ｔｃのＲｘＦＣｌ’であり、ＲｘＦＣｌ’（ｔｐ）は直前の時刻ｔｐのＲｘＦＣｌ’である。
【００７０】
図３（ｃ）の例では、ＴｘＦＣｌ（ｔｃ）＝１２、ＴｘＦＣｌ（ｔｐ）＝１１、ＲｘＦＣｌ’（ｔｃ）＝２２、及びＲｘＦＣｌ’（ｔｐ）＝２１であるため、ＬＳｆ＝（１２−１１）−（２２−２１）＝０となる。
【００７１】
このように、伝送装置１において、ＣＰＵ１００は、回線ユニット１１のＯＡＭパケットの送信数と他方の伝送装置２の回線ユニット２１のＯＡＭパケットの受信数の差分から、遠端のパケットロスＬＳｆを算出する。なお、他方の伝送装置２において、ＣＰＵ１００は、上記の式（１）により近端のパケットロスを算出する。
【００７２】
また、近端のパケットロスは、伝送装置２から伝送装置１に向かう伝送方向におけるＯＡＭパケットの損失数である。ＣＰＵ１００は、現在の時刻ｔｃのＴｘＦＣｌ’及びＲｘＦＣｌと、直前の時刻ｔｐのＴｘＦＣｌ’及びＲｘＦＣｌとを用いて近端のパケットロスを算出する。
【００７３】
ＬＳｎ＝｛ＴｘＦＣｌ’（ｔｃ）−ＴｘＦＣｌ’（ｔｐ）｝
−｛（ＲｘＦＣｌ（ｔｃ）−ＲｘＦＣｌ（ｔｐ））  ・・・（２）
【００７４】
近端のパケットロスＬＳｎは、上記の式（１）により算出される。ここで、ＴｘＦＣｌ’（ｔｃ）は現在の時刻ｔｃのＴｘＦＣｌ’であり、ＴｘＦＣｌ’（ｔｐ）は直前の時刻ｔｐのＴｘＦＣｌ’である。また、ＲｘＦＣｌ（ｔｃ）は現在の時刻ｔｃのＲｘＦＣｌであり、ＲｘＦＣｌ（ｔｐ）は直前の時刻ｔｐのＲｘＦＣｌである。
【００７５】
図３（ｃ）の例では、ＴｘＦＣｌ’（ｔｃ）＝３２、ＴｘＦＣｌ’（ｔｐ）＝３１、ＲｘＦＣｌ（ｔｃ）＝４２、及びＲｘＦＣｌ（ｔｐ）＝４１であるため、ＬＳｎ＝（３２−３１）−（４２−４１）＝０となる。
【００７６】
このように、伝送装置１において、ＣＰＵ１００は、他方の伝送装置２の回線ユニット２１のＯＡＭパケットの送信数と回線ユニット１１のＯＡＭパケットの受信数との差分から、近端のパケットロスＬＳｎを算出する。なお、他方の伝送装置２では、上述したようにＲｘＦＣｌが取得されないため、遠端のパケットロスの算出は行われない。
【００７７】
また、図３（ｄ）には、ＬＡＧ設定テーブル１０２ｂの一例が示されている。本例では、伝送装置１のＬＡＧ設定テーブル１０２ｂが示されているが、他方の伝送装置２のＬＡＧ設定テーブル１０２ｂも同様の構成を有する。
【００７８】
ＬＡＧ設定テーブル１０２ｂには、運用系の回線ユニット１１の識別子と予備系の回線ユニット１２の識別子の組み合わせが登録されている。本例では、運用系の回線ユニット１１の識別子を「＃１１」とし、予備系の回線ユニット１２の識別子を「＃１２」としている。なお、ＬＡＧ設定テーブル１０２ｂは、例えばネットワーク管理装置９により設定される。
【００７９】
ＣＰＵ１００は、運用系の回線ユニット１１からの障害通知により運用系の通信回線６１の障害を検出したとき、ＬＡＧ設定テーブル１０２ｂを参照することで運用系の回線ユニット１１に対応する予備系の回線ユニット１２を識別する。そして、ＣＰＵ１００は、予備系の回線ユニット１２のユニット状態情報３１ｂを「運用系」に設定することで、予備系の回線ユニット１２にパケットの送受信処理を開始させる。また、ＣＰＵ１００は、運用系の回線ユニット１１のユニット状態情報３１ｂを「予備系」に設定することで、運用系の回線ユニット１１にパケットの送受信処理を停止させる。
【００８０】
つまり、ＣＰＵ１００は、運用系の通信回線６１の障害を検出したとき、ＬＡＧ設定テーブル１０２ｂに登録された運用系の回線ユニット１１及び予備系の回線ユニット１２を入れ替える。他方の伝送装置２においても、ＣＰＵ１００は、運用系の回線ユニット２１からの障害通知により運用系の通信回線６１の障害を検出したとき、ＬＡＧ設定テーブル１０２ｂに登録された運用系の回線ユニット２１及び予備系の回線ユニット２２を入れ替える。これにより、伝送装置１，２間において、パケットの送受信が予備系の通信回線６２により継続される。
【００８１】
図４は、回線ユニット１１，２１間で送受信されるパケットの一例を示す構成図である。伝送装置１の運用系の回線ユニット１１は、ＬＭＭ（Loss Measurement Message）を含むＯＡＭパケット（ＯＡＭ  ＰＫＴ）とユーザパケット（ユーザＰＫＴ）を他方の伝送装置２の運用系の回線ユニット２１に送信する。また、伝送装置２の運用系の回線ユニット２１は、ＬＭＲ（Loss Measurement Reply）を含むＯＡＭパケットとユーザパケットを他方の伝送装置１の運用系の回線ユニット１１に送信する。なお、ユーザパケットとＯＡＭパケットは、イーサネットフレームの構成を有する。
【００８２】
ＬＭＭ及びＬＭＲは、それぞれ、ＩＴＵ−Ｔ勧告Ｙ．１７３１に規定されたパケットロス測定メッセージ及びロス測定応答である。より具体的には、伝送装置１は、ＬＭＭを含むＯＡＭパケットを他方の伝送装置２に送信し、伝送装置２は、ＬＭＭの応答として、ＬＭＲを含むＯＡＭパケットを他方の伝送装置１に送信する。ＬＭＭまたはＬＭＲを含むＯＡＭパケットは、一定の時間間隔Ｔをおいてユーザパケットの間に挿入されている。
【００８３】
ＬＭＭは、「ＭＥＬ」（Maintenance Entity Group Level）、「Version」、「OpCode」、「Flags」、「TLV offset」（TLV: Type, Length, Value）、「TxFCf」、「Reserved」、及び「End TLV」を含む。「ＭＥＬ」は、ＯＡＭ  ＰＤＵ（Protocol data Unit）のメンテナンスエンティティグループのレベルを示す。「Version」は、ＯＡＭプロトコルバージョンを示す。
【００８４】
「OpCode」はメッセージの識別子であり、ＬＭＭの場合、「OpCode」には「４３」が格納される。また、「Flags」には固定値「０」が格納され、「TLV offset」には固定値「１２」が格納される。「TxFCf」には、カウンタテーブル３１ａのＴｘＦＣｌが格納される。「Reserved」は未使用領域である。「End TLV」には固定値「０」が格納される。
【００８５】
伝送装置１の運用系の回線ユニット１１は、ＬＭＭを含むＯＡＭパケットを他方の伝送装置２の運用系の回線ユニット２１に送信することで、自装置で計数したＯＡＭパケットの送信数であるＴｘＦＣｌを回線ユニット２１に通知する。回線ユニット２１は、上記の式（１）により、通知されたＴｘＦＣｌと、自装置で計数したＯＡＭパケットの受信数であるＲｘＦＣｌ’とから近端のパケットロスの値を算出する。
【００８６】
一方、ＬＭＲは、「ＭＥＬ」、「Version」、「OpCode」、「Flags」、「TLV offset」、「TxFCf」、「RxFCf」、「TxFCb」、及び「End TLV」を含む。ＬＭＲは、ＬＭＭに基づいて生成される。このため、「ＭＥＬ」、「Version」、「OpCode」、「Flags」、「TLV offset」、「TxFCf」、及び「End TLV」には、ＬＭＭの各値と同一の値が格納される。また、「RxFCf」には、カウンタテーブル３１ａのＲｘＦＣｌ’が格納され、「TxFCb」には、カウンタテーブル３１ａのＴｘＦＣｌ’が格納される。
【００８７】
伝送装置２の運用系の回線ユニット２１は、ＬＭＲを含むＯＡＭパケットを他方の伝送装置１の運用系の回線ユニット１１に送信することで、自装置で計数したＯＡＭパケットの送信数及び受信数であるＴｘＦＣｌ’及びＲｘＦＣｌ’を回線ユニット１１に通知する。回線ユニット１１は、上記の式（１）により、通知されたＲｘＦＣｌ’と、自装置で計数したＯＡＭパケットの送信数であるＴｘＦＣｌとから遠端のパケットロスＬＳｆの値を算出する。また、回線ユニット１１は、上記の式（２）により、通知されたＴｘＦＣｌ’と、自装置で計数したＯＡＭパケットの受信数であるＲｘＦＣｌとから近端のパケットロスＬＳｎの値を算出する。
【００８８】
また、運用系が通信回線６１から通信回線６２に切り替えられた場合、伝送装置１の予備系の回線ユニット１２は、運用系の回線ユニット１１と同様に、ＬＭＭを含むＯＡＭパケットを他方の伝送装置２の予備系の回線ユニット２２に送信する。また、伝送装置２の予備系の回線ユニット２２は、運用系の回線ユニット２１と同様に、ＬＭＲを含むＯＡＭパケットを他方の伝送装置１の予備系の回線ユニット１２に送信する。このため、この場合も上記と同様に、パケットロスの値が算出される。
【００８９】
次に、パケットロスの測定の比較例を説明する。図５は、比較例における通常時のパケットロスの測定動作を示すシーケンス図である。
【００９０】
比較例では、運用系の回線ユニット１１と予備系の回線ユニット１２の間及び運用系の回線ユニット２１と予備系の回線ユニット２２の間のそれぞれにおいて、カウンタテーブル３１ａ内の数値の同期は行われないものとする。また、本例のシーケンスの開始時、ＴｘＦＣｌ＝１０、ＲｘＦＣｌ＝４０、ＴｘＦＣｌ’＝３０、ＲｘＦＣｌ’＝２０であるとする。
【００９１】
伝送装置１の運用系の回線ユニット１１は、ＴｘＦＣｌ＝１１を含むＬＭＭを、他方の伝送装置２の運用系の回線ユニット２１に送信する。回線ユニット１１は、ＬＭＭの送信後、カウンタテーブル３１ａ内のＴｘＦＣｌを１１に更新する（符号ＳＱ１参照）。
【００９２】
伝送装置２の運用系の回線ユニット２１は、ＬＭＭを受信すると、ＬＭＭに含まれるＴｘＦＣｌに基づいて、カウンタテーブル３１ａ内のＴｘＦＣｌを１１に更新し、また、ＲｘＦＣｌ’を２１に更新する（符号ＳＱ２参照）。回線ユニット２１は、ＴｘＦＣｌ＝１１、ＲｘＦＣｌ’＝２１、及びＴｘＦＣｌ’＝３１を含むＬＭＲを、他方の伝送装置１の運用系の回線ユニット１１に送信する。回線ユニット２１は、ＬＭＲの送信後、カウンタテーブル３１ａ内のＴｘＦＣｌ’を３１に更新する（符号ＳＱ３参照）。
【００９３】
伝送装置１の運用系の回線ユニット１１は、ＬＭＲを受信すると、ＲｘＦＣｌを４１に更新する（符号ＳＱ４参照）。また、回線ユニット１１は、ＬＭＲに含まれるＴｘＦＣｌ’及びＲｘＦＣｌ’に基づいて、カウンタテーブル３１ａ内のＴｘＦＣｌ’及びＲｘＦＣｌ’を３１及び２１にそれぞれ更新する（符号ＳＱ５参照）。
【００９４】
次に、回線ユニット１１は、制御ユニット１０にＰＫＴロステーブル１０２ａの更新を要求する。更新要求にはカウンタテーブル３１ａ内の各数値が含まれており、制御ユニット１０は、更新要求を受信すると、回線ユニット１１のカウンタテーブル３１ａに基づいてＰＫＴロステーブル１０２ａを更新する（符号ＳＱ６参照）。
【００９５】
これにより、ＰＫＴロステーブル１０２ａには、直前の時刻ｔｐのＴｘＦＣｌ＝１０、ＲｘＦＣｌ＝４０、ＴｘＦＣｌ’＝３０、ＲｘＦＣｌ’＝２０と、現在の時刻ｔｃのＴｘＦＣｌ＝１１、ＲｘＦＣｌ＝４１、ＴｘＦＣｌ’＝３１、ＲｘＦＣｌ’＝２１とが記録される。
【００９６】
次に、伝送装置１の運用系の回線ユニット１１は、ＴｘＦＣｌ＝１２を含むＬＭＭを、他方の伝送装置２の運用系の回線ユニット２１に送信する。回線ユニット１１は、ＬＭＭの送信後、カウンタテーブル３１ａ内のＴｘＦＣｌを１２に更新する（符号ＳＱ７参照）。
【００９７】
伝送装置２の回線ユニット２１は、ＬＭＭを受信すると、ＬＭＭに含まれるＴｘＦＣｌに基づいて、カウンタテーブル３１ａ内のＴｘＦＣｌを１２に更新し、また、ＲｘＦＣｌ’を２２に更新する（符号ＳＱ８参照）。回線ユニット２１は、ＴｘＦＣｌ＝１２、ＲｘＦＣｌ’＝２２、及びＴｘＦＣｌ’＝３２を含むＬＭＲを、他方の伝送装置１の運用系の回線ユニット１１に送信する。回線ユニット２１は、ＬＭＲの送信後、カウンタテーブル３１ａ内のＴｘＦＣｌ’を３２に更新する（符号ＳＱ９参照）。
【００９８】
伝送装置１の運用系の回線ユニット１１は、ＬＭＲを受信すると、ＲｘＦＣｌを４２に更新する（符号ＳＱ１０参照）。また、回線ユニット１１は、ＬＭＲに含まれるＴｘＦＣｌ’及びＲｘＦＣｌ’に基づいて、カウンタテーブル３１ａ内のＴｘＦＣｌ’及びＲｘＦＣｌ’を３２及び２２にそれぞれ更新する（符号ＳＱ１１参照）。
【００９９】
次に、回線ユニット１１は、制御ユニット１０にＰＫＴロステーブル１０２ａの更新を要求する。制御ユニット１０は、更新要求を受信すると、回線ユニット１１のカウンタテーブル３１ａに基づいてＰＫＴロステーブル１０２ａを更新する（符号ＳＱ１２参照）。
【０１００】
これにより、ＰＫＴロステーブル１０２ａには、直前の時刻ｔｐのＴｘＦＣｌ＝１１、ＲｘＦＣｌ＝４１、ＴｘＦＣｌ’＝３１、ＲｘＦＣｌ’＝２１と、現在の時刻ｔｃのＴｘＦＣｌ＝１２、ＲｘＦＣｌ＝４２、ＴｘＦＣｌ’＝３２、ＲｘＦＣｌ’＝２２とが記録される。このとき、パケットロスＬＳｆ、ＬＳｎの値は、図３（ｃ）を参照して述べたように０となる。なお、伝送装置２のＰＫＴロステーブル１０２ａの更新処理は、図５において省略されているが、伝送装置１と同様に行われる。
【０１０１】
図６は、比較例におけるパケットロス発生時のパケットロスの測定動作を示すシーケンス図である。図６において、図５と共通する動作については同一の符号を付して、その説明を省略する。
【０１０２】
ＰＫＴロステーブル１０２ａの更新後（符号ＳＱ６参照）、伝送装置１の運用系の回線ユニット１１は、ＴｘＦＣｌ＝１２を含むＬＭＭを、他方の伝送装置２の運用系の回線ユニット２１に送信する。しかし、このＬＭＭは、パケットロスの発生により回線ユニット１２において受信されない。回線ユニット１１は、ＬＭＭの送信後、カウンタテーブル３１ａ内のＴｘＦＣｌを１２に更新する（符号ＳＱ７’参照）。
【０１０３】
次に、伝送装置１の運用系の回線ユニット１１は、ＴｘＦＣｌ＝１３を含むＬＭＭを、他方の伝送装置２の運用系の回線ユニット２１に送信する。回線ユニット１１は、ＬＭＭの送信後、カウンタテーブル３１ａ内のＴｘＦＣｌを１３に更新する（符号ＳＱ８’参照）。
【０１０４】
伝送装置２の回線ユニット２１は、ＬＭＭを受信すると、ＬＭＭに含まれるＴｘＦＣｌに基づいて、カウンタテーブル３１ａ内のＴｘＦＣｌを１３に更新し、また、ＲｘＦＣｌ’を２２に更新する（符号ＳＱ９’参照）。回線ユニット２１は、ＴｘＦＣｌ＝１３、ＲｘＦＣｌ’＝２２、及びＴｘＦＣｌ’＝３２を含むＬＭＲを、他方の伝送装置１の運用系の回線ユニット１１に送信する。回線ユニット２１は、ＬＭＲの送信後、カウンタテーブル３１ａ内のＴｘＦＣｌ’を３２に更新する（符号ＳＱ１０’参照）。
【０１０５】
伝送装置１の運用系の回線ユニット１１は、ＬＭＭを受信すると、ＲｘＦＣｌを４２に更新する（符号ＳＱ１１’参照）。また、回線ユニット１１は、ＬＭＲに含まれるＴｘＦＣｌ’及びＲｘＦＣｌ’に基づいて、カウンタテーブル３１ａ内のＴｘＦＣｌ’及びＲｘＦＣｌ’を３２及び２２にそれぞれ更新する（符号ＳＱ１２’参照）。
【０１０６】
次に、回線ユニット１１は、制御ユニット１０にＰＫＴロステーブル１０２ａの更新を要求する。制御ユニット１０は、更新要求を受信すると、回線ユニット１１のカウンタテーブル３１ａに基づいてＰＫＴロステーブル１０２ａを更新する（符号ＳＱ１３’参照）。
【０１０７】
これにより、ＰＫＴロステーブル１０２ａには、直前の時刻ｔｐのＴｘＦＣｌ＝１１、ＲｘＦＣｌ＝４１、ＴｘＦＣｌ’＝３１、ＲｘＦＣｌ’＝２１と、現在の時刻ｔｃのＴｘＦＣｌ＝１３、ＲｘＦＣｌ＝４２、ＴｘＦＣｌ’＝３２、ＲｘＦＣｌ’＝２２とが記録される。このとき、遠端のパケットロスの値は、上記の式（１）よりＬＳｆ＝（１３−１１）−（２２−２１）＝１となる。このため、伝送装置１，２の制御ユニット１０は、１個のパケットロスが発生したことを検出する。なお、近端のパケットロスの値は、上記の式（２）よりＬＳｎ＝（３２−３１）−（４２−４１）＝０となる。また、上記のパケットロスの検出は、実施例においても同様に行われる。
【０１０８】
図７は、比較例における障害発生時のパケットロスの測定動作を示すシーケンス図である。図７において、図５と共通する動作については同一の符号を付して、その説明を省略する。
【０１０９】
伝送装置１の運用系の回線ユニット１１は、通信回線６１に障害が発生したことを検知すると（符号ＳＱ２１参照）、障害の発生を制御ユニット１０に通知する。これにより、制御ユニット１０は障害を検出する（符号ＳＱ２２参照）。
【０１１０】
次に、制御ユニット１０は、運用系の回線ユニット１１及び予備系の回線ユニット１２に切り替え指示を送信する。切り替え指示により、運用系の回線ユニット１１のユニット状態情報３１ｂは「予備系」に変更され、予備系の回線ユニット１２のユニット状態情報３１ｂは「運用系」に変更される。
【０１１１】
これにより、運用系の回線ユニット１１は、パケットの送受信処理を停止し、予備系の回線ユニット１２は、パケットの送受信処理を開始する。また、他方の伝送装置２においても、運用系の回線ユニット２１は、パケットの送受信処理を停止し、予備系の回線ユニット２２は、パケットの送受信処理を開始する。
【０１１２】
このとき、伝送装置１の予備系の回線ユニット１２のカウンタテーブル３１ａには、初期値として、ＴｘＦＣｌ＝０、ＲｘＦＣｌ＝０、ＴｘＦＣｌ’＝０、及びＲｘＦＣｌ’＝０が格納されている。また、伝送装置２の予備系の回線ユニット２２のカウンタテーブル３１ａには、初期値として、ＴｘＦＣｌ＝０、ＴｘＦＣｌ’＝０、及びＲｘＦＣｌ’＝０が格納されている。
【０１１３】
次に、伝送装置１の予備系の回線ユニット１２は、ＴｘＦＣｌ＝１を含むＬＭＭを、他方の伝送装置２の予備系の回線ユニット２２に送信する。回線ユニット１２は、ＬＭＭの送信後、カウンタテーブル３１ａ内のＴｘＦＣｌを１に更新する（符号ＳＱ２２参照）。
【０１１４】
伝送装置２の回線ユニット２２は、ＬＭＭを受信すると、ＬＭＭに含まれるＴｘＦＣｌに基づいて、カウンタテーブル３１ａ内のＴｘＦＣｌを１に更新し、また、ＲｘＦＣｌ’を１に更新する（符号ＳＱ２３参照）。回線ユニット２２は、ＴｘＦＣｌ＝１、ＲｘＦＣｌ’＝１、及びＴｘＦＣｌ’＝１を含むＬＭＲを、他方の伝送装置１の予備系の回線ユニット１２に送信する。回線ユニット２２は、ＬＭＲの送信後、カウンタテーブル３１ａ内のＴｘＦＣｌ’を１に更新する（符号ＳＱ２４参照）。
【０１１５】
伝送装置１の予備系の回線ユニット１２は、ＬＭＭを受信すると、ＲｘＦＣｌを１に更新する（符号ＳＱ２５参照）。また、回線ユニット１２は、ＬＭＲに含まれるＴｘＦＣｌ’及びＲｘＦＣｌ’に基づいて、カウンタテーブル３１ａ内のＴｘＦＣｌ’及びＲｘＦＣｌ’を１に更新する（符号ＳＱ２６参照）。
【０１１６】
次に、回線ユニット１２は、制御ユニット１０にＰＫＴロステーブル１０２ａの更新を要求する。制御ユニット１０は、更新要求を受信すると、回線ユニット１２のカウンタテーブル３１ａに基づいてＰＫＴロステーブル１０２ａを更新する（符号ＳＱ２７参照）。
【０１１７】
これにより、ＰＫＴロステーブル１０２ａには、直前の時刻ｔｐのＴｘＦＣｌ＝１１、ＲｘＦＣｌ＝４１、ＴｘＦＣｌ’＝３１、ＲｘＦＣｌ’＝２１と、現在の時刻ｔｃのＴｘＦＣｌ＝１、ＲｘＦＣｌ＝１、ＴｘＦＣｌ’＝１、ＲｘＦＣｌ’＝１とが記録される。このとき、遠端のパケットロスの値は、上記の式（１）よりＬＳｆ＝（１−１１）−（１−２１）＝１０となり，近端のパケットロスの値は、上記の式（２）よりＬＳｎ＝（１−３１）−（１−４１）＝１０となる。また、他方の伝送装置２においても、伝送装置１と同様に近端のパケットロス（伝送装置１では遠端のパケットロスに相当）の値が算出される。
【０１１８】
このため、伝送装置１，２の制御ユニット１０は、パケットロスが発生していないのにも関わらず、１０個のパケットロスが発生したことを誤検出する。
【０１１９】
このように、冗長化された通信回線６１，６２によりパケットを送受信する場合、障害発生のために通信回線が切り替えられると、伝送装置１，２は、切り替え後の通信回線６２について、改めて送信数及び受信数を計数し始めることになる。このため、伝送装置１，２は、切り替え前の通信回線６１について計数した送信数及び受信数に基づいて、パケットロスの測定を継続することができないので、測定結果に誤差が生ずる。
【０１２０】
このため、実施例では、運用系の通信回線６１によるパケットの送信数と受信数を、予備系の通信回線６２に関連付けて保持し、通信回線６１，６２が切り替えられたとき、保持した送信数と受信数を初期値とすることで、通信回線６１，６２が切替わってもパケットロスの測定を継続可能とする。
【０１２１】
つまり、伝送装置１の回線ユニット１１，１２は、自装置が運用系の通信回線６１により他方の伝送装置２に送信したＯＡＭパケット数（ＴｘＦＣｌ）を、他方の伝送装置２に定期的に通知するとともに、予備系の通信回線６２に関連付けて保持する。また、伝送装置２の回線ユニット２１，１２は、自装置が他方の伝送装置１から通信回線６１により受信したＯＡＭパケット数（ＲｘＦＣｌ’）を、伝送装置１に定期的に通知するとともに、通信回線６２に関連付けて保持する。
【０１２２】
運用系が通信回線６１から通信回線６２に切り替えられたとき、回線ユニット１２は、通信回線６２に関連付けて保持されたＴｘＦＣｌを初期値として、自装置が通信回線６２により他方の伝送装置２に送信したＯＡＭパケット数（ＴｘＦＣｌ）の計数を開始する。また、回線ユニット２２は、通信回線６２に関連付けて保持されたＲｘＦＣｌ’を初期値として、自装置が他方の伝送装置１から通信回線６２により受信したパケット数（ＲｘＦＣｌ’）の計数を開始する。
【０１２３】
このように、伝送装置１の回線ユニット１１は、ＴｘＦＣｌを他方の伝送装置２に定期的に通知し、伝送装置２の回線ユニット２１は、ＲｘＦＣｌ’を他方の伝送装置２に定期的に通知する。このため、伝送装置１，２は、ＴｘＦＣｌ及びＲｘＦＣｌ’からパケットロスを測定できる。
【０１２４】
また、運用系が通信回線６１から通信回線６２に切り替えられたとき、回線ユニット１２，２２は、通信回線６２に関連付けて保持されたＴｘＦＣｌ及びＲｘＦＣｌ’を初期値として、通信回線６２についてＴｘＦＣｌ及びＲｘＦＣｌ’の計数をそれぞれ開始する。
【０１２５】
したがって、伝送装置１，２は、運用系の通信回線６１について計数したＴｘＦＣｌ及びＲｘＦＣｌ’に基づいて、パケットロスの測定を継続することができる。なお、ＴｘＦＣｌ’及びＲｘＦＣｌについても同様の処理が行われる。以下に実施例の伝送装置１，２の動作の詳細について述べる。
【０１２６】
図８は、実施例における通常時のパケットロスの測定動作を示すシーケンス図である。本例のシーケンスの開始時、ＴｘＦＣｌ＝１０、ＲｘＦＣｌ＝４０、ＴｘＦＣｌ’＝３０、ＲｘＦＣｌ’＝２０であるとする。
【０１２７】
伝送装置１の運用系の回線ユニット１１は、ＴｘＦＣｌ＝１１を含むＬＭＭを、他方の伝送装置２の運用系の回線ユニット２１に送信する。回線ユニット１１は、ＬＭＭの送信後、カウンタテーブル３１ａ内のＴｘＦＣｌを１１に更新する（符号ＳＱ３１参照）。
【０１２８】
次に、回線ユニット１１は、ＴｘＦＣｌ＝１１を含むＬＭＭを、スイッチユニット１４を介して予備系の回線ユニット１２に送信する。回線ユニット１２は、ＬＭＭを受信すると、ＬＭＭに含まれるＴｘＦＣｌに合わせてカウンタテーブル３１ａ内のＴｘＦＣｌを１１に更新する（符号ＳＱ３２参照）。
【０１２９】
このように、回線ユニット１１，１２は、自装置が運用系の通信回線６１により他方の伝送装置２に送信したパケット数（ＴｘＦＣｌ）を、伝送装置２に定期的に通知するとともに、予備系の通信回線６２に関連付けて保持する。
【０１３０】
図９には、一方の伝送装置１におけるＯＡＭパケットの経路が示されている。以下に、ＬＭＭを含むＯＡＭパケットの経路（点線参照）を説明する。
【０１３１】
運用系の回線ユニット１１において、ＣＰＵ３０は、ＬＭＭを含むＯＡＭパケットを生成してフロー処理部３５に出力する。フロー処理部３５は、ＯＡＭパケットをトラフィック管理部３４及びＳＷ−ＩＦ部３６にそれぞれ出力する。
【０１３２】
トラフィック管理部３４に入力されたＯＡＭパケットは、ポート３３を介して他方の伝送装置２の運用系の回線ユニット２１に送信される。一方、ＳＷ−ＩＦ部３６に入力されたＯＡＭパケットは、スイッチユニット１４を介して予備系の回線ユニット１２に送信される。
【０１３３】
予備系の回線ユニット１２において、ＯＡＭパケットは、ＳＷ−ＩＦ部３６及びフロー処理部３５を経由してＣＰＵ３０に入力される。ＣＰＵ３０は、ＯＡＭパケットからＴｘＦＣｌを取得して、取得したＴｘＦＣｌに基づき、カウンタテーブル３１ａ内のＴｘＦＣｌを更新する。
【０１３４】
このように、運用系の回線ユニット１１は、ＴｘＦＣｌをＯＡＭパケットに含めて予備系の回線ユニット１２に送信する。予備系の回線ユニット１２は、受信したＯＡＭパケットに含まれるＴｘＦＣｌに合わせてカウンタテーブル３１ａ内のＴｘＦＣｌを更新する。したがって、予備系の回線ユニット１２は、他のパケット処理と同様の処理を行うことにより容易にＴｘＦＣｌを更新できる。
【０１３５】
再び図８を参照すると、伝送装置２の運用系の回線ユニット２１は、ＬＭＭを受信すると、ＬＭＭに含まれるＴｘＦＣｌに基づいて、カウンタテーブル３１ａ内のＴｘＦＣｌを１１に更新し、また、ＲｘＦＣｌ’を２１に更新する（符号ＳＱ３３参照）。次に、回線ユニット２１は、ＬＭＭを含むＯＡＭパケットを予備系の回線ユニット２２に転送する。
【０１３６】
予備系の回線ユニット２２は、転送されたＯＡＭパケットに含まれるＴｘＦＣｌに合わせてカウンタテーブル３１ａ内のＴｘＦＣｌを１１に更新する（符号ＳＱ３４参照）。
【０１３７】
図１０には、他方の伝送装置２におけるＯＡＭパケットの経路が示されている。以下に、ＬＭＭを含むＯＡＭパケットの経路（一点鎖線参照）を説明する。
【０１３８】
ＬＭＭを含むＯＡＭパケットは、伝送装置２で受信されると、ポート３３及びトラフィック管理部３４を経由してフロー処理部３５に入力される。フロー処理部３５は、入力されたＯＡＭパケットをＣＰＵ３０とＳＷ−ＩＦ部３６に出力する。
【０１３９】
ＣＰＵ３０は、ＯＡＭパケットからＴｘＦＣｌを取得して、取得したＴｘＦＣｌに基づき、カウンタテーブル３１ａ内のＴｘＦＣｌを更新する。
【０１４０】
一方、ＳＷ−ＩＦ部３６に入力されたＯＡＭパケットは、スイッチユニット２４を介して予備系の回線ユニット２２に送信される。
【０１４１】
予備系の回線ユニット２２において、ＯＡＭパケットは、ＳＷ−ＩＦ部３６及びフロー処理部３５を経由してＣＰＵ３０に入力される。ＣＰＵ３０は、ＯＡＭパケットからＴｘＦＣｌを取得して、取得したＴｘＦＣｌに基づき、カウンタテーブル３１ａ内のＴｘＦＣｌを更新する。
【０１４２】
このように、運用系の回線ユニット２１は、他方の伝送装置１の運用系の回線ユニット１１から受信したＯＡＭパケットからＴｘＦＣｌを取得して、予備系の回線ユニット２２にＯＡＭパケットを転送する。予備系の回線ユニット２２は、運用系の回線ユニット２１から転送されたＯＡＭパケットからＴｘＦＣｌを取得する。したがって、予備系の回線ユニット２２は、他のパケット処理と同様の処理を行うことにより容易にＴｘＦＣｌを取得できる。
【０１４３】
再び図８を参照すると、回線ユニット２１は、ＴｘＦＣｌ＝１１、ＲｘＦＣｌ’＝２１、及びＴｘＦＣｌ’＝３１を含むＬＭＲを、他方の伝送装置１の運用系の回線ユニット１１に送信する。また、回線ユニット２１は、送信したＬＭＲと同一のＬＭＲを予備系の回線ユニット２２に送信する。回線ユニット２１は、ＬＭＲの送信後、カウンタテーブル３１ａ内のＴｘＦＣｌ’を３１に更新する（符号ＳＱ３５参照）。
【０１４４】
予備系の回線ユニット２２は、運用系の回線ユニット２１から受信したＬＭＲに含まれるＴｘＦＣｌ’及びＲｘＦＣｌ’に合わせて、カウンタテーブル３１ａ内のＴｘＦＣｌ’及びＲｘＦＣｌ’を３１及び２１にそれぞれ更新する（符号ＳＱ３６参照）。
【０１４５】
このように、回線ユニット２１，２２は、自装置が他方の伝送装置２から通信回線６１により受信したパケット数（ＲｘＦＣｌ’）を、伝送装置１に定期的に通知するとともに、通信回線６２に関連付けて保持する。
【０１４６】
図１０には、ＬＭＲを含むＯＡＭパケットの経路が点線で示されている。運用系の回線ユニット２１において、ＣＰＵ３０は、ＬＭＲを含むＯＡＭパケットを生成してフロー処理部３５に出力する。フロー処理部３５は、ＯＡＭパケットをトラフィック管理部３４及びＳＷ−ＩＦ部３６にそれぞれ出力する。
【０１４７】
トラフィック管理部３４に入力されたＯＡＭパケットは、ポート３３を介して他方の伝送装置１の運用系の回線ユニット１１に送信される。一方、ＳＷ−ＩＦ部３６に入力されたＯＡＭパケットは、スイッチユニット２４を介して予備系の回線ユニット２２に送信される。
【０１４８】
予備系の回線ユニット２２において、ＯＡＭパケットは、ＳＷ−ＩＦ部３６及びフロー処理部３５を経由してＣＰＵ３０に入力される。ＣＰＵ３０は、ＯＡＭパケットからＴｘＦＣｌ’及びＲｘＦＣｌ’を取得して、取得したＴｘＦＣｌ’及びＲｘＦＣｌ’に基づき、カウンタテーブル３１ａ内のＴｘＦＣｌ’及びＲｘＦＣｌ’を更新する。
【０１４９】
このように、運用系の回線ユニット２１は、ＴｘＦＣｌ’及びＲｘＦＣｌ’をＯＡＭパケットに含めて予備系の回線ユニット２２に送信する。予備系の回線ユニット２２は、受信したＯＡＭパケットに含まれるＴｘＦＣｌ’及びＲｘＦＣｌ’に合わせてカウンタテーブル３１ａ内のＴｘＦＣｌ’及びＲｘＦＣｌ’をそれぞれ更新する。したがって、予備系の回線ユニット２２は、他のパケット処理と同様の処理を行うことにより容易にＴｘＦＣｌ’及びＲｘＦＣｌ’を更新できる。
【０１５０】
再び図８を参照すると、回線ユニット２１は、制御ユニット２０にＰＫＴロステーブル１０２ａの更新を要求する。更新要求にはカウンタテーブル３１ａ内の各数値が含まれており、制御ユニット２０は、更新要求を受信すると、回線ユニット２１のカウンタテーブル３１ａに基づいてＰＫＴロステーブル１０２ａを更新する（符号ＳＱ３７参照）。
【０１５１】
これにより、伝送装置２の制御ユニット２０のＰＫＴロステーブル１０２ａには、直前の時刻ｔｐのＴｘＦＣｌ＝１０、ＴｘＦＣｌ’＝３０、ＲｘＦＣｌ’＝２０と、現在の時刻ｔｃのＴｘＦＣｌ＝１１、ＴｘＦＣｌ’＝３１、ＲｘＦＣｌ’＝２１とが記録される。
【０１５２】
伝送装置１の運用系の回線ユニット１１は、ＬＭＲを受信すると、ＲｘＦＣｌを４１に更新する（符号ＳＱ３８参照）。また、回線ユニット１１は、ＬＭＲに含まれるＴｘＦＣｌ’及びＲｘＦＣｌ’に基づいて、カウンタテーブル３１ａ内のＴｘＦＣｌ’及びＲｘＦＣｌ’を３１及び２１にそれぞれ更新する（符号ＳＱ３９参照）。
【０１５３】
次に、回線ユニット１１は、受信したＬＭＲを予備系の回線ユニット１２に転送する。備系の回線ユニット１２は、転送されたＬＭＲに含まれるＴｘＦＣｌ’及びＲｘＦＣｌ’に合わせて、カウンタテーブル３１ａ内のＴｘＦＣｌ’及びＲｘＦＣｌ’を３１及び２１にそれぞれ更新する（符号ＳＱ４０参照）。
【０１５４】
図９には、ＬＭＲを含むＯＡＭパケットの経路が一点鎖線で示されている。ＬＭＲを含むＯＡＭパケットは、伝送装置１で受信されると、ポート３３及びトラフィック管理部３４を経由してフロー処理部３５に入力される。フロー処理部３５は、入力されたＯＡＭパケットをＣＰＵ３０とＳＷ−ＩＦ部３６に出力する。
【０１５５】
ＣＰＵ３０は、ＯＡＭパケットからＴｘＦＣｌ’及びＲｘＦＣｌ’を取得して、取得したＴｘＦＣｌ’及びＲｘＦＣｌ’に基づき、カウンタテーブル３１ａ内のＴｘＦＣｌ’及びＲｘＦＣｌ’をそれぞれ更新する。
【０１５６】
一方、ＳＷ−ＩＦ部３６に入力されたＯＡＭパケットは、スイッチユニット１４を介して予備系の回線ユニット１２に送信される。
【０１５７】
予備系の回線ユニット１２において、ＯＡＭパケットは、ＳＷ−ＩＦ部３６及びフロー処理部３５を経由してＣＰＵ３０に入力される。ＣＰＵ３０は、ＯＡＭパケットからＴｘＦＣｌ’及びＲｘＦＣｌ’を取得して、取得したＴｘＦＣｌ’及びＲｘＦＣｌ’に基づき、カウンタテーブル３１ａ内のＴｘＦＣｌ’及びＲｘＦＣｌ’をそれぞれ更新する。
【０１５８】
このように、運用系の回線ユニット１１は、他方の伝送装置２の運用系の回線ユニット２１から受信したＯＡＭパケットからＴｘＦＣｌ’及びＲｘＦＣｌ’を取得して、予備系の回線ユニット１２にＯＡＭパケットを転送する。予備系の回線ユニット１２は、運用系の回線ユニット１１から転送されたＯＡＭパケットからＴｘＦＣｌ’及びＲｘＦＣｌ’を取得する。したがって、予備系の回線ユニット１２は、他のパケット処理と同様の処理を行うことにより容易にＴｘＦＣｌ’及びＲｘＦＣｌ’を取得できる。
【０１５９】
再び図８を参照すると、回線ユニット１１は、ＲｘＦＣｌを予備系の回線ユニット１２に送信する。このとき、回線ユニット１１は、ＴｘＦＣｌなどと同様に、ＲｘＦＣｌをＯＡＭパケットに含めて送信してもよい。予備系の回線ユニット１２は、運用系の回線ユニット１１から受信したＲｘＦＣｌに合わせて、カウンタテーブル３１ａ内のＲｘＦＣｌを４１に更新する（符号ＳＱ４１参照）。
【０１６０】
次に、回線ユニット１１は、制御ユニット１０にＰＫＴロステーブル１０２ａの更新を要求する。更新要求にはカウンタテーブル３１ａ内の各数値が含まれており、制御ユニット１０は、更新要求を受信すると、回線ユニット１１のカウンタテーブル３１ａに基づいてＰＫＴロステーブル１０２ａを更新する（符号ＳＱ４２参照）。
【０１６１】
これにより、伝送装置１の制御ユニット１０のＰＫＴロステーブル１０２ａには、直前の時刻ｔｐのＴｘＦＣｌ＝１０、ＲｘＦＣｌ＝４０、ＴｘＦＣｌ’＝３０、ＲｘＦＣｌ’＝２０と、現在の時刻ｔｃのＴｘＦＣｌ＝１１、ＲｘＦＣｌ＝４１、ＴｘＦＣｌ’＝３１、ＲｘＦＣｌ’＝２１とが記録される。
【０１６２】
次に、伝送装置１の運用系の回線ユニット１１は、ＴｘＦＣｌ＝１２を含むＬＭＭを、他方の伝送装置２の運用系の回線ユニット２１に送信する。回線ユニット１１は、ＬＭＭの送信後、カウンタテーブル３１ａ内のＴｘＦＣｌを１２に更新する（符号ＳＱ４３参照）。
【０１６３】
次に、回線ユニット１１は、ＴｘＦＣｌ＝１２を含むＬＭＭを、スイッチユニット１４を介して予備系の回線ユニット１２に送信する。回線ユニット１２は、ＬＭＭを受信すると、ＬＭＭに含まれるＴｘＦＣｌに合わせてカウンタテーブル３１ａ内のＴｘＦＣｌを１２に更新する（符号ＳＱ４４参照）。
【０１６４】
伝送装置２の運用系の回線ユニット２１は、ＬＭＭを受信すると、ＬＭＭに含まれるＴｘＦＣｌに基づいて、カウンタテーブル３１ａ内のＴｘＦＣｌを１２に更新し、また、ＲｘＦＣｌ’を２２に更新する（符号ＳＱ４５参照）。次に、回線ユニット２１は、ＬＭＭを含むＯＡＭパケットを予備系の回線ユニット２２に転送する。
【０１６５】
予備系の回線ユニット２２は、転送されたＯＡＭパケットに含まれるＴｘＦＣｌに合わせてカウンタテーブル３１ａ内のＴｘＦＣｌを１２に更新する（符号ＳＱ４６参照）。
【０１６６】
次に、回線ユニット２１は、ＴｘＦＣｌ＝１２、ＲｘＦＣｌ’＝２２、及びＴｘＦＣｌ’＝３２を含むＬＭＲを、他方の伝送装置１の運用系の回線ユニット１１に送信する。また、回線ユニット２１は、送信したＬＭＲと同一のＬＭＲを予備系の回線ユニット２２に送信する。回線ユニット２１は、ＬＭＲの送信後、カウンタテーブル３１ａ内のＴｘＦＣｌ’を３２に更新する（符号ＳＱ４７参照）。
【０１６７】
予備系の回線ユニット２２は、運用系の回線ユニット２１から受信したＬＭＲに含まれるＴｘＦＣｌ’及びＲｘＦＣｌ’に合わせて、カウンタテーブル３１ａ内のＴｘＦＣｌ’及びＲｘＦＣｌ’を３２及び２２にそれぞれ更新する（符号ＳＱ４８参照）。
【０１６８】
次に、回線ユニット２１は、制御ユニット２０にＰＫＴロステーブル１０２ａの更新を要求する。制御ユニット２０は、更新要求を受信すると、回線ユニット２１のカウンタテーブル３１ａに基づいてＰＫＴロステーブル１０２ａを更新する（符号ＳＱ４９参照）。
【０１６９】
これにより、伝送装置２の制御ユニット２０のＰＫＴロステーブル１０２ａには、直前の時刻ｔｐのＴｘＦＣｌ＝１１、ＴｘＦＣｌ’＝３１、ＲｘＦＣｌ’＝２１と、現在の時刻ｔｃのＴｘＦＣｌ＝１２、ＴｘＦＣｌ’＝３２、ＲｘＦＣｌ’＝２２とが記録される。したがって、制御ユニット２０は、上記の式（１）によりパケットロスの値＝０を算出する。
【０１７０】
伝送装置１の運用系の回線ユニット１１は、ＬＭＲを受信すると、ＲｘＦＣｌを４２に更新する（符号ＳＱ５０参照）。また、回線ユニット１１は、ＬＭＲに含まれるＴｘＦＣｌ’及びＲｘＦＣｌ’に基づいて、カウンタテーブル３１ａ内のＴｘＦＣｌ’及びＲｘＦＣｌ’を３２及び２２にそれぞれ更新する（符号ＳＱ５１参照）。
【０１７１】
次に、回線ユニット１１は、受信したＬＭＲを予備系の回線ユニット１２に転送する。予備系の回線ユニット１２は、転送されたＬＭＲに含まれるＴｘＦＣｌ’及びＲｘＦＣｌ’に合わせて、カウンタテーブル３１ａ内のＴｘＦＣｌ’及びＲｘＦＣｌ’を３２及び２２にそれぞれ更新する（符号ＳＱ５２参照）。
【０１７２】
次に、回線ユニット１１は、ＲｘＦＣｌを予備系の回線ユニット１２に送信する。このとき、回線ユニット１１は、ＴｘＦＣｌなどと同様に、ＲｘＦＣｌをＯＡＭパケットに含めて送信してもよい。予備系の回線ユニット１２は、運用系の回線ユニット１１から受信したＲｘＦＣｌに合わせて、カウンタテーブル３１ａ内のＲｘＦＣｌを４２に更新する（符号ＳＱ５３参照）。
【０１７３】
次に、回線ユニット１１は、制御ユニット１０にＰＫＴロステーブル１０２ａの更新を要求する。制御ユニット１０は、更新要求を受信すると、回線ユニット１１のカウンタテーブル３１ａに基づいてＰＫＴロステーブル１０２ａを更新する（符号ＳＱ５４参照）。
【０１７４】
これにより、伝送装置１の制御ユニット１０のＰＫＴロステーブル１０２ａには、直前の時刻ｔｐのＴｘＦＣｌ＝１１、ＲｘＦＣｌ＝４１、ＴｘＦＣｌ’＝３１、ＲｘＦＣｌ’＝２１と、現在の時刻ｔｃのＴｘＦＣｌ＝１２、ＲｘＦＣｌ＝４２、ＴｘＦＣｌ’＝３２、ＲｘＦＣｌ’＝２２とが記録される。したがって、制御ユニット１０は、上記の式（１）により遠端のパケットロスの値ＬＳｆ＝０を算出し、上記の式（２）により遠端のパケットロスの値ＬＳｎ＝０を算出する。
【０１７５】
図１１（ａ）には、図８のシーケンスにおける運用系の回線ユニット１１のカウンタテーブル３１ａの変化が示されている。また、図１１（ｂ）には、図８のシーケンスにおける予備系の回線ユニット１２のカウンタテーブル３１ａの変化が示されている。
【０１７６】
上述したように、運用系の回線ユニット１１は、ＬＭＭ、ＬＭＲ、及びＲｘＦＣｌを予備系の回線ユニット１２に送信する。このため、最初のＰＫＴロステーブル１０２ａの更新時（符号ＳＱ４２参照）と２回目のＰＫＴロステーブル１０２ａの更新時（符号ＳＱ５４参照）において、ＴｘＦＣｌ、ＲｘＦＣｌ、ＴｘＦＣｌ’、及びＲｘＦＣｌ’は、運用系の回線ユニット１１と予備系の回線ユニット１２の間で一致している。なお、２回目の更新後のＰＫＴロステーブル１０２ａは、図３（ｃ）に示される状態となる。
【０１７７】
このように、運用系の回線ユニット１１と予備系の回線ユニット１２の間において、ＴｘＦＣｌ、ＲｘＦＣｌ、ＴｘＦＣｌ’、及びＲｘＦＣｌ’は同期している。これは、他方の伝送装置２の運用系の回線ユニット２１と予備系の回線ユニット２２のカウンタテーブル３１ａについても同様である。したがって、以下に述べるように、各伝送装置１，２は、通信回線が切り替えられても、パケットロスの測定を継続することができる。
【０１７８】
図１２及び図１３は、実施例における障害発生時のパケットロスの測定動作を示すシーケンス図である。まず図１２から説明し、その後、図１３について説明する。なお、図１２において、図８と共通する処理については同一の符号を付して、その説明を省略する。
【０１７９】
図８を参照して述べたように、運用系が通信回線６１から通信回線６２に切り替えられる前、予備系の回線ユニット１２は、運用系の回線ユニット１１により計数されたＴｘＦＣｌに合わせて、回線ユニット１２が計数するＴｘＦＣｌを更新することにより、ＴｘＦＣｌを通信回線６２に関連付けて保持する。また、予備系の回線ユニット２２は、運用系の回線ユニット２１により計数されたＲｘＦＣｌ’に合わせて、回線ユニット２２が計数するＲｘＦＣｌ’を更新することにより、ＲｘＦＣｌ’を通信回線６２に関連付けて保持する。
【０１８０】
このため、伝送装置１の予備系の回線ユニット１２は、運用系の回線ユニット１１との間でＴｘＦＣｌを一致させて保持することができる。また、伝送装置２の予備系の回線ユニット２２は、運用系の回線ユニット２１との間でＲｘＦＣｌ’を一致させて保持することができる。したがって、以下のように、伝送装置１，２は、運用系が通信回線６１から通信回線６２に切り替えられた後も、正確にパケットロスの測定を行うことができる。
【０１８１】
まず、図１２を参照すると、伝送装置１において、最初のＰＫＴロステーブル１０２ａの更新後（符号ＳＱ４２参照）、運用系の回線ユニット１１は、運用系の通信回線６１に障害が発生したことを検知すると（符号ＳＱ４３’参照）、障害の発生を制御ユニット１０に通知する。これにより、制御ユニット１０は障害を検出する（符号ＳＱ４４’参照）。
【０１８２】
次に、制御ユニット１０は、運用系の回線ユニット１１及び予備系の回線ユニット１２に切り替え指示を送信する。切り替え指示により、運用系の回線ユニット１１のユニット状態情報３１ｂは「予備系」に変更され、予備系の回線ユニット１２のユニット状態情報３１ｂは「運用系」に変更される。
【０１８３】
一方、伝送装置２においても、最初のＰＫＴロステーブル１０２ａの更新後（符号ＳＱ３７参照）、運用系の回線ユニット２１は、運用系の通信回線６１に障害が発生したことを検知すると（符号ＳＱ４５’参照）、障害の発生を制御ユニット２０に通知する。これにより、制御ユニット２０は障害を検出する（符号ＳＱ４６’参照）。
【０１８４】
次に、制御ユニット２０は、運用系の回線ユニット２１及び予備系の回線ユニット２２に切り替え指示を送信する。切り替え指示により、運用系の回線ユニット２１のユニット状態情報３１ｂは「予備系」に変更され、予備系の回線ユニット２２のユニット状態情報３１ｂは「運用系」に変更される。
【０１８５】
次に図１３を参照すると、通信回線６１，６２の切り替え後、伝送装置１の予備系の回線ユニット１２は、ＴｘＦＣｌ＝１２を含むＬＭＭを、他方の伝送装置２の予備系の回線ユニット２２に送信する。回線ユニット２１は、ＬＭＭの送信後、カウンタテーブル３１ａ内のＴｘＦＣｌを１２に更新する（符号ＳＱ６１参照）。このように、予備系の回線ユニット１２は、通信回線６２に関連付けて保持されたＴｘＦＣｌを初期値として、自装置が通信回線６２により他方の伝送装置２に送信したパケット数（ＴｘＦＣｌ）の計数を開始する。
【０１８６】
伝送装置２の予備系の回線ユニット２２は、ＬＭＭを受信すると、ＬＭＭに含まれるＴｘＦＣｌに基づいて、カウンタテーブル３１ａ内のＴｘＦＣｌを１２に更新し、また、ＲｘＦＣｌ’を２２に更新する（符号ＳＱ６２参照）。
【０１８７】
次に、回線ユニット２２は、ＴｘＦＣｌ＝１２、ＲｘＦＣｌ’＝２２、及びＴｘＦＣｌ’＝３２を含むＬＭＲを、他方の伝送装置１の予備系の回線ユニット１２に送信する。回線ユニット２２は、ＬＭＲの送信後、カウンタテーブル３１ａ内のＴｘＦＣｌ’を３２に更新する（符号ＳＱ６３参照）。このように、予備系の回線ユニット２２は、通信回線６２に関連付けて保持されたＲｘＦＣｌ’を初期値として、自装置が他方の伝送装置１から通信回線６２により受信したパケット数（ＲｘＦＣｌ’）の計数を開始する。
【０１８８】
次に、回線ユニット２２は、制御ユニット２０にＰＫＴロステーブル１０２ａの更新を要求する。制御ユニット２０は、更新要求を受信すると、回線ユニット２２のカウンタテーブル３１ａに基づいてＰＫＴロステーブル１０２ａを更新する（符号ＳＱ６４参照）。
【０１８９】
これにより、伝送装置２の制御ユニット２０のＰＫＴロステーブル１０２ａには、直前の時刻ｔｐのＴｘＦＣｌ＝１１及びＲｘＦＣｌ’＝２１と、現在の時刻ｔｃのＴｘＦＣｌ＝１２及びＲｘＦＣｌ’＝２２とが記録される。制御ユニット２０は、上記の式（１）に基づき各数値からパケットロスの値＝０を算出する。
【０１９０】
したがって、伝送装置２は、通信回線６１，６２が切り替わっても、その切り替え前の通信回線６１について計数したＯＡＭパケットの送信数及び受信数に基づいて、パケットロスの測定を継続できる。
【０１９１】
一方、伝送装置１の予備系の回線ユニット１２は、ＬＭＲを受信すると、ＲｘＦＣｌを４２に更新する（符号ＳＱ６５参照）。また、回線ユニット１２は、ＬＭＲに含まれるＴｘＦＣｌ’及びＲｘＦＣｌ’に基づいて、カウンタテーブル３１ａ内のＴｘＦＣｌ’及びＲｘＦＣｌ’を３２及び２２にそれぞれ更新する（符号ＳＱ６６参照）。
【０１９２】
次に、回線ユニット１２は、制御ユニット１０にＰＫＴロステーブル１０２ａの更新を要求する。制御ユニット１０は、更新要求を受信すると、回線ユニット１２のカウンタテーブル３１ａに基づいてＰＫＴロステーブル１０２ａを更新する（符号ＳＱ６７参照）。
【０１９３】
これにより、伝送装置１の制御ユニット１０のＰＫＴロステーブル１０２ａには、直前の時刻ｔｐのＴｘＦＣｌ＝１１、ＲｘＦＣｌ＝４１、ＴｘＦＣｌ’＝３１、ＲｘＦＣｌ’＝２１と、現在の時刻ｔｃのＴｘＦＣｌ＝１２、ＲｘＦＣｌ＝４２、ＴｘＦＣｌ’＝３２、ＲｘＦＣｌ’＝２２とが記録される。したがって、制御ユニット１０は、上記の式（１）により遠端のパケットロスの値ＬＳｆ＝０を算出し、上記の式（２）により遠端のパケットロスの値ＬＳｎ＝０を算出する。
【０１９４】
したがって、伝送装置１は、運用系が通信回線６１から通信回線６２に切り替わっても、その切り替え前の通信回線６１について計数したＯＡＭパケットの送信数及び受信数に基づいて、パケットロスの測定を継続できる。
【０１９５】
これまで述べたように、実施例に係る伝送システムは、伝送装置１，２の間に設けられた通信回線６１及び通信回線６２を論理的に制御してパケットを伝送するための論理パスを形成する伝送システムであり、回線ユニット１１，１２，２１，２２を有する。回線ユニット１１，１２は、伝送装置１が運用系の通信回線６１により他方の伝送装置２に送信したパケット数（ＴｘＦＣｌ）を、伝送装置１から他方の伝送装置２に定期的に通知するとともに、予備系の通信回線６２に関連付けて保持する。回線ユニット２１，２２は、伝送装置２が他方の伝送装置１から通信回線６１により受信したパケット数（ＲｘＦＣｌ’）を、伝送装置２から他方の伝送装置１に定期的に通知するとともに、通信回線６１に関連付けて保持する。
【０１９６】
運用系が通信回線６１から通信回線６２に切り替えられたとき、回線ユニット１１は、通信回線６２に関連付けて保持された送信パケット数を初期値として、伝送装置１が通信回線６１により伝送装置２に送信したパケット数の計数を開始する。また、回線ユニット２１は、通信回線６２に関連付けて保持された受信パケット数を初期値として、伝送装置２が伝送装置１から通信回線６２により受信したパケット数の計数を開始する。
【０１９７】
上記の構成によると、伝送装置１の回線ユニット１１は、ＴｘＦＣｌを他方の伝送装置２に定期的に通知し、伝送装置２の回線ユニット２１は、ＲｘＦＣｌ’を他方の伝送装置２に定期的に通知する。このため、伝送装置１，２は、ＴｘＦＣｌ及びＲｘＦＣｌ’からパケットロスを測定できる。
【０１９８】
また、運用系が通信回線６１から通信回線６２に切り替えられたとき、回線ユニット１２，２２は、通信回線６２に関連付けて保持されたＴｘＦＣｌ及びＲｘＦＣｌ’を初期値として、通信回線６２についてＴｘＦＣｌ及びＲｘＦＣｌ’の計数をそれぞれ開始する。
【０１９９】
したがって、伝送装置１，２は、運用系が通信回線６１から通信回線６２に切り替わっても、切り替え前の通信回線６１について計数したＴｘＦＣｌ及びＲｘＦＣｌ’に基づいて、パケットロスの測定を継続することができる。
【０２００】
また、実施例に係る伝送装置１は、他方の伝送装置２との間に設けられた通信回線６１及び通信回線６２の論理的な制御によりパケットを伝送するための論理パスが形成される伝送装置である。回線ユニット１１，１２は、運用系の通信回線６１により他方の伝送装置２に送信したパケット数（ＴｘＦＣｌ）を、他方の伝送装置２に定期的に通知するとともに、予備系の通信回線６２に関連付けて保持する。回線ユニット１２は、運用系が通信回線６１から通信回線６２に切り替えられたとき、通信回線６２に関連付けて保持された送信パケット数を初期値として、通信回線６２により他方の伝送装置２に送信したパケット数の計数を開始する。
【０２０１】
上記の構成によると、伝送装置１の回線ユニット１１は、ＴｘＦＣｌを他方の伝送装置２に定期的に通知する。このため、他方の伝送装置２は、ＴｘＦＣｌ及び自装置のパケット受信数（ＲｘＦＣｌ’）からパケットロスを測定できる。
【０２０２】
また、運用系が通信回線６１から通信回線６２に切り替えられたとき、回線ユニット１２は、通信回線６２に関連付けて保持されたＴｘＦＣｌを初期値として、通信回線６２についてＴｘＦＣｌの計数を開始する。
【０２０３】
したがって、伝送装置２は、運用系が通信回線６１から通信回線６２に切り替わっても、切り替え前の通信回線６１について計数したＴｘＦＣｌに基づいて、パケットロスの測定を継続することができる。
【０２０４】
また、他の実施例に係る伝送装置２は、他方の伝送装置１との間に設けられた通信回線６１及び通信回線６２の論理的な制御によりパケットを伝送するための論理パスが形成される伝送装置である。回線ユニット１１，１２は、他方の伝送装置１から運用系の通信回線６１により受信したパケット数（ＲｘＦＣｌ’）を、他の伝送装置１に定期的に通知するとともに、予備系の前記第２通信回線に関連付けて保持する。回線ユニット２１，２２は、運用系が通信回線６１から通信回線６２に切り替えられたとき、通信回線６２に関連付けて保持された受信パケット数を初期値として、他方の伝送装置１から通信回線６２により受信したパケット数の計数を開始する。
【０２０５】
上記の構成によると、伝送装置２の回線ユニット２１は、ＲｘＦＣｌ’を他方の伝送装置１に定期的に通知する。このため、他方の伝送装置１は、自装置のパケット送信数（ＴｘＦＣｌ）及びＲｘＦＣｌ’からパケットロスを測定できる。
【０２０６】
また、運用系が通信回線６１から通信回線６２に切り替えられたとき、回線ユニット２２は、通信回線６２に関連付けて保持されたＲｘＦＣｌ’を初期値として、通信回線６２についてＲｘＦＣｌ’の計数を開始する。
【０２０７】
したがって、伝送装置１は、運用系が通信回線６１から通信回線６２に切り替わっても、切り替え前の通信回線６１について計数したＲｘＦＣｌ’に基づいて、パケットロスの測定を継続することができる。
【０２０８】
また、実施例に係る伝送方法は、伝送装置１，２の間に設けられた通信回線６１及び通信回線６２を論理的に制御してパケットを伝送するための論理パスを形成する伝送方法であり、以下のステップを含む。
ステップ（１）：伝送装置１が運用系の通信回線６１により他方の伝送装置２に送信したパケット数（ＴｘＦＣｌ）を、伝送装置１から他方の伝送装置２に定期的に通知するとともに、予備系の通信回線６２に関連付けて保持する。
ステップ（２）：伝送装置２が他方の伝送装置１から通信回線６１により受信したパケット数（ＲｘＦＣｌ’）を、伝送装置２から他方の伝送装置１に定期的に通知するとともに、通信回線６１に関連付けて保持する。
ステップ（３）：運用系が通信回線６１から通信回線６２に切り替えられたとき、通信回線６２に関連付けて保持された送信パケット数を初期値として、伝送装置１が通信回線６１により伝送装置２に送信したパケット数の計数を開始し、通信回線６２に関連付けて保持された受信パケット数を初期値として、伝送装置２が伝送装置１から通信回線６２により受信したパケット数の計数を開始する。
【０２０９】
実施例に係る伝送方法は、実施例に係る伝送システムと同様の構成を含むので、上述した内容と同様の作用効果を奏する。
【０２１０】
上述した実施形態は本発明の好適な実施の例である。但し、これに限定されるものではなく、本発明の要旨を逸脱しない範囲内において種々変形実施可能である。
【０２１１】
なお、以上の説明に関して更に以下の付記を開示する。
（付記１）  第１伝送装置と第２伝送装置の間に設けられた第１通信回線及び第２通信回線を論理的に制御してパケットを伝送するための論理パスを形成する伝送システムにおいて、
前記第１伝送装置が運用系の前記第１通信回線により前記第２伝送装置に送信したパケット数を、前記第１伝送装置から前記第２伝送装置に定期的に通知するとともに、予備系の前記第２通信回線に関連付けて保持する第１の手段と、
前記第２伝送装置が前記第１伝送装置から前記第１通信回線により受信したパケット数を、前記第２伝送装置から前記第１伝送装置に定期的に通知するとともに、前記第２通信回線に関連付けて保持する第２の手段とを有し、
運用系が前記第１通信回線から前記第２通信回線に切り替えられたとき、
前記第１の手段は、前記第２通信回線に関連付けて保持された前記送信したパケット数を初期値として、前記第１伝送装置が前記第２通信回線により前記第２伝送装置に送信したパケット数の計数を開始し、
前記第２の手段は、前記第２通信回線に関連付けて保持された前記受信したパケット数を初期値として、前記第２伝送装置が前記第１伝送装置から前記第２通信回線により受信したパケット数の計数を開始することを特徴とする伝送システム。
（付記２）  前記第１の手段は、前記第１通信回線について前記送信したパケット数を計数して前記第２伝送装置に定期的に通知する第１回線処理部と、前記第２通信回線について前記送信したパケット数を計数して前記第２伝送装置に定期的に通知する第２回線処理部とを有し、
前記第２の手段は、前記第１通信回線について前記受信したパケット数を計数して前記第１伝送装置に定期的に通知する第３回線処理部と、前記第２通信回線について前記受信したパケット数を計数して前記第１伝送装置に定期的に通知する第４回線処理部とを有し、
運用系が前記第１通信回線から前記第２通信回線に切り替えられる前、
前記第２回線処理部は、前記第１回線処理部により計数された前記送信したパケット数に合わせて、前記第２回線処理部が計数する前記送信したパケット数を更新することにより、前記送信したパケット数を前記第２通信回線に関連付けて保持し、
前記第４回線処理部は、前記第３回線処理部により計数された前記受信したパケット数に合わせて、前記第４回線処理部が計数する前記受信したパケット数を更新することにより、前記受信したパケット数を前記第２通信回線に関連付けて保持することを特徴とする付記１に記載の伝送システム。
（付記３）  他装置との間に設けられた第１通信回線及び第２通信回線の論理的な制御によりパケットを伝送するための論理パスが形成される伝送装置において、
運用系の前記第１通信回線により前記他装置に送信したパケット数を、前記他装置に定期的に通知するとともに、予備系の前記第２通信回線に関連付けて保持する第１の手段を有し、
前記第１の手段は、運用系が前記第１通信回線から前記第２通信回線に切り替えられたとき、前記第２通信回線に関連付けて保持された前記送信したパケット数を初期値として、前記第２通信回線により前記他装置に送信したパケット数の計数を開始することを特徴とする伝送装置。
（付記４）  前記第１の手段は、前記第１通信回線について前記送信したパケット数を計数して前記他装置に定期的に通知する第１回線処理部と、前記第２通信回線について前記送信したパケット数を計数して前記他装置に定期的に通知する第２回線処理部とを有し、
前記第２回線処理部は、運用系が前記第１通信回線から前記第２通信回線に切り替えられる前、前記第１回線処理部により計数された前記送信したパケット数に合わせて、前記第２回線処理部が計数する前記送信したパケット数を更新することにより、前記送信したパケット数を前記第２通信回線に関連付けて保持することを特徴とする付記３に記載の伝送装置。
（付記５）  他装置との間に設けられた第１通信回線及び第２通信回線の論理的な制御によりパケットを伝送するための論理パスが形成される伝送装置において、
前記他装置から運用系の前記第１通信回線により受信したパケット数を、前記他装置に定期的に通知するとともに、予備系の前記第２通信回線に関連付けて保持する第２の手段を有し、
前記第２の手段は、運用系が前記第１通信回線から前記第２通信回線に切り替えられたとき、前記第２通信回線に関連付けて保持された前記受信したパケット数を初期値として、前記他装置から前記第２通信回線により受信したパケット数の計数を開始することを特徴とする伝送装置。
（付記６）  前記第２の手段は、前記第１通信回線について前記受信したパケット数を計数して前記他装置に定期的に通知する第３回線処理部と、前記第２通信回線について前記受信したパケット数を計数して前記他装置に定期的に通知する第４回線処理部とを有し、
前記第４回線処理部は、運用系が前記第１通信回線から前記第２通信回線に切り替えられる前、前記第３回線処理部により計数された前記受信したパケット数に合わせて、前記第４回線処理部が計数する前記受信したパケット数を更新することにより、前記受信したパケット数を前記第２通信回線に関連付けて保持することを特徴とする付記５に記載の伝送装置。
（付記７）  第１伝送装置と第２伝送装置の間に設けられた第１通信回線及び第２通信回線を論理的に制御してパケットを伝送するための論理パスを形成する伝送方法において、
前記第１伝送装置が運用系の前記第１通信回線により前記第２伝送装置に送信したパケット数を、前記第１伝送装置から前記第２伝送装置に定期的に通知するとともに、予備系の前記第２通信回線に関連付けて保持し、
前記第２伝送装置が前記第１伝送装置から前記第１通信回線により受信したパケット数を、前記第２伝送装置から前記第１伝送装置に定期的に通知するとともに、前記第２通信回線に関連付けて保持し、
運用系が前記第１通信回線から前記第２通信回線に切り替えられたとき、
前記第２通信回線に関連付けて保持された前記送信したパケット数を初期値として、前記第１伝送装置が前記第２通信回線により前記第２伝送装置に送信したパケット数の計数を開始し、
前記第２通信回線に関連付けて保持された前記受信したパケット数を初期値として、前記第２伝送装置が前記第１伝送装置から前記第２通信回線により受信したパケット数の計数を開始することを特徴とする伝送方法。
（付記８）  前記第１伝送装置は、前記第１通信回線について前記送信したパケット数を計数して前記第２伝送装置に定期的に通知する第１回線処理部と、前記第２通信回線について前記送信したパケット数を計数して前記第２伝送装置に定期的に通知する第２回線処理部とを有し、
前記第２伝送装置は、前記第１通信回線について前記受信したパケット数を計数して前記第１伝送装置に定期的に通知する第３回線処理部と、前記第２通信回線について前記受信したパケット数を計数して前記第１伝送装置に定期的に通知する第４回線処理部とを有し、
運用系が前記第１通信回線から前記第２通信回線に切り替えられる前、
前記第２回線処理部は、前記第１回線処理部により計数された前記送信したパケット数に合わせて、前記第２回線処理部が計数する前記送信したパケット数を更新することにより、前記送信したパケット数を前記第２通信回線に関連付けて保持し、
前記第４回線処理部は、前記第３回線処理部により計数された前記受信したパケット数に合わせて、前記第４回線処理部が計数する前記受信したパケット数を更新することにより、前記受信したパケット数を前記第２通信回線に関連付けて保持することを特徴とする付記７に記載の伝送方法。
【符号の説明】
【０２１２】
１，２      伝送装置
１０，２０      制御ユニット
１１〜１３，２１〜２３    回線ユニット
６１，６２      通信回線
【図１】
2016208240.tif 000003
【図２】
2016208240.tif 000004
【図３】
2016208240.tif 000005
【図４】
2016208240.tif 000006
【図５】
2016208240.tif 000007
【図６】
2016208240.tif 000008
【図７】
2016208240.tif 000009
【図８】
2016208240.tif 000010
【図９】
2016208240.tif 000011
【図１０】
2016208240.tif 000012
【図１１】
2016208240.tif 000013
【図１２】
2016208240.tif 000014
【図１３】
2016208240.tif 000015